(57)【特許請求の範囲】
【請求項１】
ＲＦＩＤ／ＮＦＣアンテナ回路であって、
少なくとも３つの巻回（Ｓ）によって形成される磁気アンテナ（Ｌ）であって、前記アンテナが第１の終端（Ｄ）及び第２の終端（Ｅ）を有するアンテナと、
電荷を接続するための少なくとも２つのアクセス端子（１，２）と、
第１のキャパシタンス端子（Ｃ１Ｘ）及び第２のキャパシタンス端子（Ｃ１Ｅ）を有する、所定の同調周波数に同調させるための少なくとも１つの同調キャパシタンス（Ｃ１，ＺＺ）と、
前記第１の終端（Ｄ）及び前記第２の終端（Ｅ）と別個であり、前記アンテナ（Ｌ）に接続された中間タップ（Ａ）と、
前記２つのアクセス端子のうちの第１のアクセス端子（１）に前記中間タップ（Ａ）を接続する第１の接続手段（ＣＯＮ１Ａ）と、
前記第２の終端（Ｅ）を前記第２のキャパシタンス端子（Ｃ１Ｅ）に接続する第２の接続手段（ＣＯＮ２Ｅ）と、
を備え、前記ＲＦＩＤアンテナ回路は、
前記第１のキャパシタンス端子（Ｃ１Ｘ）、及びアクセス端子のうちの第２のアクセス端子（２）それぞれを前記アンテナ（Ｌ）の前記第１の点、及び前記アンテナ（Ｌ）の第２の点（Ｐ２）に接続する第３の接続手段（ＣＯＮ３１，ＣＯＮ３２）
を更に備え、
第２の点（Ｐ２）は前記アンテナ（Ｌ）の前記少なくとも１つの巻回（Ｓ）により、前記アンテナ（Ｌ）の前記第２の終端（Ｅ）に接続され、前記アンテナ（Ｌ）の少なくとも１つの巻回（Ｓ）により、前記アンテナ（Ｌ）の前記第１の点に接続される回路。
【請求項２】
請求項１記載の回路であって、前記キャパシタンスは、前記第１のキャパシタンス端子（Ｃ１Ｘ）を形成する第１の金属表面と、前記第２のキャパシタンス端子（Ｃ１Ｅ）を形成する第２の金属表面と、前記第１の金属表面と前記第２の金属表面との間に配置されている少なくとも１つの誘電体層とを含む回路。
【請求項３】
請求項１又は２に記載の回路であって、前記キャパシタンスは、第１の側部、及び前記第１の側部と離れた第２の側部を有する少なくとも１つの誘電体層と、
前記誘電体層の前記第１の側部に前記第１のキャパシタンス端子（Ｃ１Ｘ）を形成する第１の金属表面と、
前記誘電体層の前記第２の側部に前記第２のキャパシタンス端子（Ｃ１Ｅ）を形成する第２の金属表面と、
前記誘電体層の前記第１の側部に、前記第１の金属表面と離れて配置されている第３のキャパシタンス端子（Ｃ１Ｆ）を形成する第３の金属表面と
を備え、
前記第１のキャパシタンス端子（Ｃ１Ｘ）は、前記第２のキャパシタンス端子（Ｃ１Ｅ）との間で第１のキャパシタンス値（Ｃ２）を規定し、
前記第３のキャパシタンス端子（Ｃ１Ｆ）は、前記第２のキャパシタンス端子（Ｃ１Ｅ）との間で第２のキャパシタンス値（Ｃ１）を規定し、
前記第１のキャパシタンス端子（Ｃ１Ｘ）は、前記第３のキャパシタンス端子（Ｃ１Ｆ）との間で第３の結合キャパシタンス値（Ｃ１２）を規定し、前記キャパシタンスは、
前記アクセス端子（１，２）のうちの１つのアクセス端子に前記第３のキャパシタンス端子（Ｃ１Ｆ）を接続する接続手段を更に備える回路。
【請求項４】
請求項１乃至３の何れか一項に記載の回路であって、前記アンテナ（Ｌ）は、連続する少なくとも１つの第１の巻回（Ｓ１）、少なくとも１つの第２の巻回、及び少なくとも１つの第３の巻回を備え、前記第１の巻回（Ｓ１）は、前記第２の巻回に接続された反転点（ＰＲ）に、第１の巻回方向に前記第２の終端（Ｅ）から延在し、前記第２の巻回及び前記第３の巻回（Ｓ２、Ｓ３）は、前記第１の終端（Ｄ）に、前記第１の巻回方向の逆である第２の巻回方向に、前記反転点（ＰＲ）から延在し、
前記アンテナ（Ｌ）の前記第１の点（Ｐ）及び前記アンテナ（Ｌ）の前記第２の点（Ｐ２）は、前記第２の巻回及び前記第３の巻回（Ｓ２、Ｓ３）に配置されている回路。
【請求項５】
請求項１乃至４の何れか一項に記載の回路であって、前記アンテナ（Ｌ）は、前記アンテナの２つの第３の点及び第４の点（Ｅ、Ｄ）間で連続する少なくとも１つの第１の巻回（Ｓ１）及び少なくとも１つの第２の巻回（Ｓ２、Ｓ３）を備え、前記第１の巻回（Ｓ１）は第１の巻回方向に、前記第３の点（Ｅ）から前記反転点（ＰＲ）に延在し、前記第２の巻回（Ｓ２、Ｓ３）は前記第１の巻回方向の逆である第２の巻回方向に前記反転点（ＰＲ）から前記第４の点（Ｄ）に延在する回路。
【請求項６】
請求項１記載の回路であって、前記アンテナ（Ｌ）は、前記アンテナの２つの第３の点及び第４の点（Ｅ、Ｄ）間で連続する少なくとも１つの第１の巻回（Ｓ１）及び少なくとも１つの第２の巻回（Ｓ２、Ｓ３）を備え、前記第１の巻回（Ｓ１）は、反転点（ＰＲ）により、前記第２の巻回（Ｓ２、Ｓ３）に接続され、前記第１の巻回（Ｓ１）は、第１の巻回方向に、前記第３の点（Ｅ）から前記反転点（ＰＲ）に延在し、前記第２の巻回（Ｓ２、Ｓ３）は前記第１の巻回方向の逆である第２の巻回方向に前記反転点（ＰＲ）から前記第４の点（Ｄ）に延在し、
前記第１の点（Ｐ１）は前記アンテナ（Ｌ）の前記中間タップ（Ａ）に配置され、前記第２の点（Ｐ２）は前記アンテナ（Ｌ）の前記第１の終端（Ｄ）に配置される回路。
【請求項７】
請求項１記載の回路であって、前記アンテナ（Ｌ）は、前記アンテナの２つの第３の点及び第４の点（Ｅ、Ｄ）間で連続する少なくとも１つの第１の巻回（Ｓ１）及び少なくとも１つの第２の巻回（Ｓ２、Ｓ３）を備え、前記第１の巻回（Ｓ１）は、反転点（ＰＲ）により、前記第２の巻回（Ｓ２、Ｓ３）に接続され、前記第１の巻回（Ｓ１）は、第１の巻回方向に、前記第３の点（Ｅ）から前記反転点（ＰＲ）に延在し、前記第２の巻回（Ｓ２、Ｓ３）は前記第１の巻回方向の逆である第２の巻回方向に前記反転点（ＰＲ）から前記第４の点（Ｄ）に延在し、
−          第１の点（Ｐ１）は前記第１の終端（Ｄ）に配置される回路。
【請求項８】
請求項１乃至７の何れか一項に記載の回路であって、前記同調キャパシタンス（Ｃ１）は、２つの第１の端部及び第２の端部（ＳＣ３１、ＳＣ３２）を備える少なくとも１つの第３の巻回（ＳＣ３）により、かつ、２つの第１の端部及び第２の端部（ＳＣ４１、ＳＣ４２）を備える少なくとも１つの第４の巻回（ＳＣ４）によって形成される第２のキャパシタンス（ＺＺ）を備え、前記第３の巻回（ＳＣ３）は、前記第３の巻回（ＳＣ３）の前記第１の端部（ＳＣ３１）と前記第４の巻回（ＳＣ４）の前記第２の端部（ＳＣ４２）との間の少なくとも前記同調キャパシタンス（Ｃ１）を規定するよう前記第４の巻回（ＳＣ４）と電気的に分離され、
前記第３の巻回の前記第１の端部（ＳＣ３）は、前記第４の巻回（ＳＣ４）の前記第１の端部（ＳＣ４１）からよりも、前記第４の巻回（ＳＣ４）の前記第２の端部（ＳＣ４２）から更に遠く、前記第３の巻回（ＳＣ３）の前記第２の端部（ＳＣ３２）は、前記第４の巻回（ＳＣ４）の前記第２の端部（ＳＣ４２）からよりも前記第４の巻回（ＳＣ４）の前記第１の端部（ＳＣ４１）から更に遠く、前記第２のキャパシタンスは、前記第３の巻回（ＳＣ３）の前記第１の端部（ＳＣ３１）と前記第４の巻回（ＳＣ４）の前記第２の端部（ＳＣ４２）との間で規定される回路。
【請求項９】
請求項１乃至８の何れか一項に記載の回路であって、前記中間タップ（Ａ）と前記第２のキャパシタンスとの間に前記アンテナの少なくとも１つの巻回（Ｓ１）が存在している回路。
【請求項１０】
請求項８又は９に記載の回路であって、第１の結合手段は、第１に、前記第１のアクセス端子及び前記第２のアクセス端子（１，２）と並列に電気接続された前記アンテナの前記少なくとも一巻回（Ｓ２）と、第２に、前記アンテナのその他の少なくとも一巻回（Ｓ１）との間の相互インダクタンスによる結合（ＣＯＵＰＬ１２）を確実にするよう提供され、第２の結合手段は、前記アンテナの前記他の少なくとも一巻回（Ｓ１）と、前記第２のキャパシタンス（ＺＺ）の前記少なくとも１つの第３及び第４の巻回（ＳＣ３，ＳＣ４）との間の相互インダクタンスによる結合（ＣＯＵＰＬＺＺ）を確実にするよう提供される回路。
【請求項１１】
請求項１乃至１０の何れか一項に記載の回路であって、前記第１の結合手段は、第１に、前記第１のアクセス端子及び前記第２のアクセス端子（１，２）と並列に電気接続された前記アンテナの前記少なくとも一巻回（Ｓ２）と、第２に、前記アンテナのその他の少なくとも一巻回（Ｓ１）との間の至近性によって形成され、前記第２の結合手段は、前記アンテナの前記その他の少なくとも一巻回（Ｓ１）と、前記第２のキャパシタンス（ＺＺ）の前記少なくとも１つの第３及び第４の巻回（ＳＣ３，ＳＣ４）との間の至近性によって形成される回路。
【請求項１２】
請求項８乃至１１の何れか一項に記載の回路であって、前記第３の巻回（Ｓ３）及び前記第４の巻回（ＳＣ４）がインターリーブされる回路。
【請求項１３】
請求項８乃至１２の何れか一項に記載の回路であって、前記第３の巻回（ＳＣ３）は少なくとも１つの第３の区間を備え、前記第４の巻回（ＳＣ４）は第４の区間を備え、前記第３の区間は前記第４の区間に隣接して位置している回路。
【請求項１４】
請求項１３記載の回路であって、区間は互いに並列に延在する回路。
【請求項１５】
請求項８乃至１４の何れか一項に記載の回路であって、前記少なくとも１つの第３の巻回（ＳＣ３）及び前記少なくとも１つの第４の巻回（ＳＣ４）は第２の固有共振周波数を有する第２のサブ回路を規定し、前記第１のアクセス端子及び前記第２のアクセス端子（１，２）は、それらに接続されたモジュール（Ｍ）、並びに前記第１のアクセス端子及び前記第２のアクセス端子（１，２）に接続された少なくとも１つの巻回（Ｓ２）とともに、第１の固有共振周波数を有する第１のサブ回路を規定し、前記第１の固有共振周波数と前記第２の固有共振周波数との間の周波数差が１０ＭＨｚ以下であるように巻回が構成される回路。
【請求項１６】
請求項８乃至１４の何れか一項に記載の回路であって、前記少なくとも１つの第３の巻回（ＳＣ３）及び前記少なくとも１つの第４の巻回（ＳＣ４）は第２の固有共振周波数を有する第２のサブ回路を規定し、前記第１のアクセス端子及び前記第２のアクセス端子（１，２）は、それらに接続されたモジュール（Ｍ）、並びに前記第１のアクセス端子及び前記第２のアクセス端子（１，２）に接続された少なくとも１つの巻回（Ｓ２）とともに、第１の固有共振周波数を有する第１のサブ回路を規定し、前記第１の固有共振周波数と前記第２の固有共振周波数との間の周波数差が５００ＭＨｚ以下であるように巻回が構成される回路。
【請求項１７】
請求項８乃至１６の何れか一項に記載の回路であって、前記少なくとも１つの第３の巻回（ＳＣ３）及び前記少なくとも１つの第４の巻回（ＳＣ４）は第２の固有共振周波数を有する第２のサブ回路を規定し、前記第１のアクセス端子及び前記第２のアクセス端子（１，２）は、それらに接続されたモジュール（Ｍ）、及び前記第１のアクセス端子及び前記第２のアクセス端子（１，２）に接続された少なくとも１つの巻回（ＳＣ２）とともに、第１の固有共振周波数を有する第１のサブ回路を規定し、前記第１の固有共振周波数及び前記第２の固有共振周波数がほぼ等しいように巻回が構成される回路。
【請求項１８】
請求項１乃至１７の何れか一項に記載の回路であって、前記アンテナは、前記第１の終端（Ｄ）から前記中間点（ＰＭ）に延在する区画上の巻回数と、前記中間点（ＰＭ）から前記第２の終端（Ｅ）に延在する区画上の巻回数が等しい、基準電位に電位を設定するための中間点（ＰＭ）を含む回路。
【請求項１９】
請求項１乃至１８の何れか一項に記載の回路であって、前記端子（Ｄ，Ｅ，１，２，Ｃ１Ｅ，Ｃ１Ｘ）、前記タップ（Ａ）、前記点（Ｐ１，Ｐ２）、及び前記キャパシタンス（Ｃ１，ＺＺ）は、複数の少なくとも３つのノードを規定し、前記ノードは、互いに別個の２つの第１のノード（１，Ｃ１Ｅ）間の少なくとも１つの巻回の少なくとも１つの第１の群（Ｓ１）と、互いに別個の２つの第２のノード（１，２）間の少なくとも１つの別の巻回（Ｓ２）の少なくとも１つの第２の群とを規定し、少なくとも１つの巻回の前記第１の群（Ｓ１）が少なくとも１つの別の巻回の第２の群に配置されることにより、少なくとも１つの巻回の前記第１の群（Ｓ１）と少なくとも１つの別の巻回（Ｓ２）の前記第２の群との間の相互インダクタンスにより、結合（ＣＯＵＰＬ１２）を確実にするために第１の結合手段が備えられる回路。
【請求項２０】
請求項１乃至１９の何れか一項に記載の回路であって、前記端子（Ｄ，Ｅ，１，２，Ｃ１Ｅ，Ｃ１Ｘ）、前記タップ（Ａ）、前記点（Ｐ１，Ｐ２）、及び前記キャパシタンス（Ｃ１，ＺＺ）は、複数の少なくとも３つのノードを規定し、前記ノードは、互いに別個の２つの第１のノード（１，Ｃ１Ｅ）間の少なくとも１つの巻回の少なくとも１つの第１の群（Ｓ１）、互いに別個の２つの第２のノード（１，２）間の少なくとも１つの別の巻回（Ｓ２）の少なくとも１つの第２の群、及び互いに別個の２つの第３のノード（Ｅ，Ｃ１Ｘ）間の少なくとも１つの別の巻回（ＳＣ３，ＳＣ４）の少なくとも１つの第３の群を規定し、前記第１のノードの少なくとも１つは前記第２のノードの少なくとも１つと異なり、第１のノードの少なくとも１つは前記第３のノードの少なくとも１つと異なり、前記第３のノードの少なくとも１つは前記第２のノードの少なくとも１つと異なり、
少なくとも１つの巻回の第１の群（Ｓ１）が少なくとも１つの別の巻回（Ｓ２）の第２の群の近傍に配置されていることにより、第１に、少なくとも１つの巻回の前記第１の群（Ｓ１）と、第２に、少なくとも１つの別の巻回（Ｓ２）の第２の群との間の相互インダクタンスによる結合（ＣＯＵＰＬ１２）を確実にするために第１の結合手段が提供され、
少なくとも１つの巻回の第１の群（Ｓ１）が少なくとも１つの別の巻回（ＳＣ３，ＳＣ４）の第３の群の近傍に配置されていることにより、第１に、少なくとも１つの巻回の第１の群（Ｓ１）と、第２に、少なくとも１つの別の巻回（ＳＣ３，ＳＣ４）の第３の群との間の相互インダクタンスによる結合（ＣＯＵＰＬ１２）を確実にするために第２の結合手段が提供される回路。
【請求項２１】
請求項１乃至２０の何れか一項に記載の回路であって、少なくとも１つの巻回の第１の群（Ｓ１）は、少なくとも１つの別の巻回（ＳＣ３、ＳＣ４）の第３の群と少なくとも１つの別の巻回（Ｓ２）の第２の群との間に配置される回路。
【請求項２２】
請求項１９乃至２１の何れか一項に記載の回路であって、別々の群に属する巻回（Ｓ１，Ｓ２，ＳＣ３，ＳＣ４）を隔てる距離は、２０ミリメートル以下である回路。
【請求項２３】
請求項１９乃至２１の何れか一項に記載の回路であって、別々の群に属する巻回（Ｓ１，Ｓ２，ＳＣ３，ＳＣ４）を隔てる距離は、１０ミリメートル以下である回路。
【請求項２４】
請求項１９乃至２１の何れか一項に記載の回路であって、別々の群に属する巻回（Ｓ１，Ｓ２，ＳＣ３，ＳＣ４）を隔てる距離は１ミリメートル以下である回路。
【請求項２５】
請求項１９乃至２４の何れか一項に記載の回路であって、別々の群に属する巻回（Ｓ１，Ｓ２，ＳＣ３，ＳＣ４）を隔てる距離は８０マイクロメートル以下である回路。
【請求項２６】
請求項１乃至２５の何れか一項に記載の回路であって、少なくとも、電荷としてのリーダ（ＬＥＣＴ）及び／又は少なくとも、電荷としてのトランスポンダ（ＴＲＡＮＳ）がアクセス端子（１，２）に接続される回路。
【請求項２７】
請求項１乃至２６の何れか一項に記載の回路であって、前記回路は、互いに別個のいくつかの第１のアクセス端子（１）及び／又は互いに別個のいくつかの第２のアクセス端子を含む回路。
【請求項２８】
請求項１乃至２７の何れか一項に記載の回路であって、前記少なくとも１つの第１のアクセス端子（１）及び前記少なくとも１つの第２のアクセス端子（２）は、高周波数帯において第１の所定の同調周波数を有する少なくとも１つの第１の電荷（Ｚ１）及び別の超高周波数帯において第２の所定の同調周波数を有する少なくとも１つの第２の電荷（Ｚ２）に接続される回路。
【発明の詳細な説明】
【技術分野】
【０００１】
本発明は、ＲＦＩＤ及びＮＦＣアンテナ回路に関する。
【０００２】
ＲＦＩＤは、無線周波数識別情報の略称である。
【０００３】
ＮＦＣは、近距離通信の略称である。
【０００４】
これは、無線アンテナにより、専用リーダに情報を送信することができるメモリ・チップ又は電子装置を使用して物体の識別を可能にする手法である。
【背景技術】
【０００５】
ＲＦＩＤ／ＮＦＣ手法は、数多くの分野（例えば、携帯電話機、携帯情報端末（ＰＤＡ）、コンピュータ、非接触カード・リーダ、接触なしで読み出される対象のカード自体、更に、パスポート、識別又は記述タグ、ＵＳＢキー、「ＲＦＩＤ又はＮＦＣ  ＳＩＭカード」と呼ばれる（Ｕ）ＳＩＭカード及びＳＩＭカード、デュアル又はデュアル・インタフェース・カード用のステッカー（ＲＦＩＤ／ＮＦＣアンテナを有するステッカー自体）、腕時計）において使用される。
【０００６】
ＲＦＩＤ／ＮＦＣ手法では、第１のＲＦＩＤ回路（リーダ）のアンテナは、任意的には、第１の回路に対して、電荷変調によるデータによって回答し得る第２のＲＦＩＤ回路（トランスポンダ）のアンテナによって受信される対象のデータを含む無線周波数信号を特定の距離にわたって電磁的に放射する。各ＲＦＩＤ回路は、その固有共振周波数で動作するそのアンテナを有する。
【０００７】
一般的な規則として、ＲＦＩＤアンテナ回路の問題点は、リーダ及びトランスポンダの磁気アンテナの効率に関し、すなわち、ＲＦＩＤシステムの２つのアンテナ間の情報及びエネルギの伝達、電子部分とそのアンテナとの間の情報及びエネルギの伝達、並びに、２つの磁気アンテナ間の相互インダクタンスによる結合の効率に関する。
【０００８】
主な目的は、発出であっても受信であっても、信号品質（データ歪み、アンテナ帯域幅等）を一切失うことなく、アンテナにより、無線効率（発出又は捕捉された磁場の力、結合、相互インダクタンス等）を増加させることである。
【０００９】
削減された表面積（３０ｘ３０ｍｍ）を有するアンテナが一層多く見られるようになってきており、カードやμカード、ステッカー、小容量リーダ、移動電話、ＵＳＢキー、ＳＩＭカードにおけるオプション又は着脱可能なリーダなどのアプリケーション用の更に大きく削減された表面積（５ｘ５ｍｍ）を有するアンテナが一層多く見られるようになってきている。
【００１０】
削減された（＜１６ｃｍ２）表面積、又は、大きく削減された（＜４ｃｍ２）表面積に加えて、非常に多くの場合、アンテナに非常に近い場における導体支持部、ディスプレイ又は画面、バッテリの存在などの非常に強い機械的制約又は電気的制約が存在している。
【００１１】
表面上の前述の種々の電気的制約及び機械的制約は、アンテナの効率の低下、結合効率の喪失、アンテナによって発出されるか、又は受け取られる信号電力の喪失、及び、エネルギ又は情報の伝達の低下、若しくは通信距離の短縮につながる。
【００１２】
削減された表面積（＜１６ｃｍ２）、又は大きく削減された表面積（＜４ｃｍ２）のアンテナと同様に、妥当なサイズ（＞１６ｃｍ２）のアンテナの場合、銀行業界（ＥＭＶＣＯ）のＲＦＩＤ／ＮＦＣ技術仕様、ＩＳＯ１５６９３（例えば、タグの場合）、ＩＳＯ１４４４３（例えば、運輸、識別情報等）などの現在有効な標準、及び一層増大するデータ・レートを満たすために、無線チャネルの帯域幅、発出又は捕捉された磁場上の力に対する必要性に関して、更に大きな必要性が生じている。
【００１３】
文献（米国特許第７２１２１２４（Ａ）号明細書）には、例えば、基板上に形成されたアンテナ・コイル、磁気材料のシート、アンテナ・コイルに接続された共振コンデンサ及び集積回路を備えた、携帯電話機用の情報装置が開示されている。上記集積回路は、磁場のアンテナ・コイルによる使用を介して外部装置と通信する。バッテリ受容部としての役目を担う凹みが、ケースの表面の一部分の上に形成され、バッテリ・カバーによって覆われる。バッテリ、アンテナ・コイル、及び磁気材料のシートは、凹み内に収容される。真空蒸着金属膜、又は導電性材料の被覆は、ケースに付着させる一方、バッテリ・カバーに、真空蒸着金属の膜も導電性材料の被覆も付着させない。アンテナ・コイルは、バッテリ・カバーとバッテリとの間に配置される一方、磁気材料のシートは、凹み内のバッテリとアンテナ・コイルとの間に配置される。アンテナ・コイルは中間タップを有し、共振コンデンサはアンテナ・コイルの両端に接続され、集積回路は、中間タップとアンテナ・コイルの終端のうちの一方との間で中心において接続される。
【００１４】
前述の装置は数多くの欠点を有する。
【００１５】
これは、携帯電話機においてのみ機能する。バッテリが存在していることが理由で、アンテナは、その一体化前に非常に高い品質係数を有していなければならない。しかし、前述の高い値を有する品質係数は、ＲＦＩＤ／ＮＦＣアンテナ回路、リーダ又はトランスポンダ（カード、タグ、ＵＳＢキー）に適していない。携帯電話機においては、前述の高い値の品質係数が存在している理由は、アンテナの元の品質係数を電気的制約及び機械的制約が圧倒するという点である。従来のアプリケーションの場合、又は前述の制約なしで、アンテナの前述の品質係数は高すぎであり、−３ｄＢで、ずっと削減されたアンテナ帯域幅をもたらし、よって、高すぎる発出又は受信電力、及び（±８４７ｋＨｚ、±４２４ｋＨｚ、±２１２ｋＨｚ等における１３．５６ＭＨｚのサブキャリアという）電荷変調による変調された発出又は受信ＨＦ信号の非常に厳しいフィルタリングをもたらす。更に、やはり、通常のアプリケーションの場合、又は前述の制約がない場合、上記アンテナとの結合は、２つのアンテナ間の距離が短い（例えば、＜２ｃｍの）場合、生成される相互インダクタンスは、２つのアンテナの周波数同調を完全に誤同調させ、リーダが放射する電力を崩壊させ、シリコン・チップの無線段を飽和し、更に、場合によっては、トランスポンダ・シリコンの破壊の可能性をもたらし得、前述のシリコンは、無限の熱分散容量を有するものでなくなるようなものである。
【００１６】
したがって、例えば、米国特許出願公開第２００８／０４５０６９３（Ａ１）号明細書には、基本的には、リーダ・モード動作のためのアンテナ装置が開示されており、上記アンテナ装置は、直列インダクタンスの通常の配置、及び２つの並列インダクタンスの配置を有し、最後に、２つの直列インダクタンスの一方に第３のインダクタンスが並列である２つの直列インダクタンスの配置を有する。上記提案された実施例は、特に、同じインダクタンス上に、又は２つのインダクタンス上に、別々の２つの表面（１つは大きい表面、１つは小さい表面）を必要とする。当該２つの実施例の目的は、小さな並列インダクタンスにより、アンテナの中心において発出された信号の増幅を可能にすることであり、２つのアンテナ表面の配置間に位置する場所にわたる放射孔をなくすことである。
【００１７】
米国特許出願公開第２００８／０４５０６９３（Ａ１）号明細書によるアンテナ装置の欠点の１つは、エンボスされたカードに上記アンテナ装置を組み込むことが可能でないという点である。別の欠点は、別のアンテナとの、リード・モードにおけるこの装置の結合が、トランスポンダとの最適な結合を得るための理想的な条件を満たさないという点である。
【００１８】
文献（欧州特許出願公開第１０３１９３９（Ａ）号明細書及び仏国特許出願公開第２７７７１４１（Ａ）号明細書）には、電気的に別個の２つのアンテナ回路を有するトランスポンダ・モード動作のためのアンテナ回路装置が開示されている。欧州特許出願公開第１０３１９３９（Ａ）号明細書及び仏国特許出願公開第２７７７１４１（Ａ）号明細書には、電気的に別個の２つのアンテナ回路を有するトランスポンダ・モード動作のためのアンテナ回路装置が開示されている。欧州特許出願公開第１０３１９３９（Ａ）号明細書及び仏国特許出願公開第２７７７１４１（Ａ）号明細書における装置では、第１のアンテナ回路は通常のインダクタンス、及びトランスポンダ・チップを有する。第２のアンテナ回路は、「共振器」と呼ばれるプレーナ・キャパシタンスに関連付けられたインダクタンスを形成するコイル巻線を含む。上記２つの実施例の目的は、トランスポンダを備える第１のアンテナ回路の「共振器」配置によって受け取られる電磁信号の増幅を可能にする。
【００１９】
欧州特許出願公開第１０３１９３９（Ａ）号明細書及び仏国特許出願公開第２７７７１４１（Ａ）号明細書による前述の装置は、増加したリード距離の効率を保証することなく、ずっと強すぎる結合という欠点を有する。更に悪いことには、結合効率が極めて高い場合、リーダとトランスポンダとの間のＲＦＩＤ通信は行われない。
【００２０】
更に、文献（米国特許第７２１２１２４（Ａ）号明細書）と同様な指摘を行うことが可能である。トランスポンダを含む第１のアンテナ回路との相互インダクタンスによって結合される通常の「共振器」回路では、第１に、距離を読み取ることの効率、又は電磁場の捕捉の効率と、第２に、２つのアンテナ回路の表面、それらの至近性、及びそれらの周波数タイミングとの間の関係が、単純に言えば、準線形である。
【００２１】
欧州特許出願公開第１０３１９３９（Ａ）号明細書及び仏国特許出願公開第２７７７１４１（Ａ）号明細書に開示された実施例の利点は、２つのアンテナ回路間で最大の効率が得られ、よって、考えられる最大の品質係数が得られるという点である。したがって、米国特許第７２１２１２４（Ａ）号明細書と同様なコメントに達する。
【００２２】
欧州特許出願公開第１９７０８４０（Ａ）号明細書には、２つの共振器が、受け取られた電磁場を増幅するために使用されるという点で、欧州特許出願公開第１０３１９３９（Ａ）号明細書及び仏国特許出願公開第２７７７１４１（Ａ）号明細書に開示された上述の２つの装置と同等の装置が開示されている。したがって、上述と同じコメントがあてはまる。更に、２つの共振器が互いに近くに位置しているので、欧州特許出願公開第１０３１９３９（Ａ）号明細書及び仏国特許出願第２７７７１４１（Ａ）号明細書について示された制約は、ずっと大きく、解消するのがより困難である。
【００２３】
他方で、文献（米国特許第３８２３４０３（Ａ）号明細書）には、２つ以上の巻回に巻かれ、航空機上の誘電体又はフェライトで充填するか、空気で充填し得る空洞内で、あるいは、導電接地面又は金属構造にわたるその構造及び／若しくはそのサポートによって搬送される外部電流により、航空機用に動作し、その固有の設計において搭載され、連結される、特定の長さの導体（理想的には管）によって形成される、（３０ＭＨｚ乃至３００ＭＨｚの）ＶＨＦに特に使用される３次元ループ・アンテナが開示されている。
【００２４】
この航空機用３次元ＶＨＦアンテナの長さは、所望の共振周波数にできる限り接近するために、ＶＨＦ周波数用の標準アンテナのような１／４波長、又は波長に近い。この航空機用３次元ＶＨＦアンテナは、高電力に特化しており、特にアンテナの長さを増加させることにより、標準ループ・アンテナあるいはスタブ・アンテナあるいはダイポール・アンテナと比較して電磁放射パターンを向上させることを可能にする。
【００２５】
この航空機用３次元ＶＨＦアンテナには、幅が非常に小さいことが多い環境における一体化に適合させるための非常に小さな体積又はプレーナ設計についての機械的な制約はない。
【００２６】
この航空機用３次元ＶＨＦアンテナには、（例えば１３．５６ＭＨｚにおける）小ＲＦＩＤ／ＮＦＣアンテナ自体の基準及び制約である、負荷変調、外部の場によるフィード又は自己フィード、変調されたデータのフィルタリング、近磁場の減少、相互インダクタンス。結合についての電気及び無線周波数の制約はない。
【００２７】
アンテナによって発出されるか、又は受け取られるエネルギの伝達を増加させるために、無線の送信又は受信の連鎖において増幅器を加えることが可能であるが、これには、金銭的な費用、及び利用可能なエネルギに加え、変調されたＨＦ信号に対する歪みの可能性をもたらす。
【００２８】
更に、シリコンによって発出される信号のレベルを増加させることも可能であるが、これは多くの場合、一体化、技術的な選択、及びサイズによって制限される。
【００２９】
シリコンの内部消費を削減することも考えられるが、信号の暗号の安全性、更に増加しているメモリ容量、及びタスク実行の速度は、趨勢が、エネルギ消費の増加の方向になってきていることを意味している。
【００３０】
発出又は捕捉された磁場、結合、相互インダクタンスを増加させるために、アンテナの巻回をかなり増加させることも可能である。これは、アンテナのインダクタンス、結合する対象のアンテナに対向する巻回の数を増加させ、よって、相互インダクタンス及び結合を増加させる。２つのアンテナ間の距離が非常に近い（＜２ｃｍである）場合も、理想的な解決策でない。相互インダクタンスは非常に高くなり、非常に高い品質係数Ｑをもたらし、よって、非常に低い帯域幅をもたらすことにより、ＲＦＩＤシステムの異常動作につながる。長距離の動作（＞１５ｃｍ）の場合、ほぼ理想的な解になるが、変調されたＨＦ信号は、ＲＦＩＤ／ＮＦＣシステムについてフィルタリングされる。
【００３１】
更に、アンテナのサイズを処理することが考えられるが、これは、めったに議論の余地のあることはなく、多くの場合、制約である変数である。
【発明の概要】
【発明が解決しようとする課題】
【００３２】
本発明は一般に、改良された伝送状態、及び伝送効率を有するアンテナ回路を得るものである。
【課題を解決するための手段】
【００３３】
この目的で、本発明の第１の対象は、
少なくとも３つのいくつかの巻回によって形成されるアンテナであって、上記アンテナが第１の終端及び第２の終端を有するアンテナと、
電荷を接続するための少なくとも２つのアクセス端子と、
第１のキャパシタンス端子及び第２のキャパシタンス端子を有する、所定の同調周波数に同調させるための少なくとも１つの同調キャパシタンスと、
終端と別個であり、上記アンテナに接続された中間タップと、
上記２つのアクセス端子のうちの第１のアクセス端子に上記中間タップを接続する第１の接続手段と、
上記第２の終端を上記第２のキャパシタンス端子に接続する第２の接続手段とを備え、
アンテナの少なくとも１つの巻回により、アンテナの第１の点に接続された、アンテナの第２の点、及びアンテナの第１の点にアクセス端子のうちの第２のアクセス端子及び第１のキャパシタンス端子を接続する第３の接続手段とを備えるＲＦＩＤアンテナ回路である。    
本発明の一実施例によれば、中間タップ（Ａ）はアンテナ（Ｌ）の少なくとも１つの巻回（Ｓ）により、アンテナ（Ｌ）の第１の終端（Ｄ）に接続され、中間タップ（Ａ）はアンテナ（Ｌ）の少なくとも１つの巻回（Ｓ）により、アンテナ（Ｌ）の第２の終端（Ｅ）に接続される。
【００３４】
本発明の一実施例（図１３、図１４、図１５、図１６）によれば、第１の点（Ｐ１）は、アンテナの少なくとも１つの巻回により、中間タップ（Ａ）に接続される。
【００３５】
本発明の一実施例（図１３、図１４、図１５、図１６）によれば、第１の点（Ｐ１）は、中間タップ（Ａ）に配置される。
【００３６】
本発明の一実施例によれば、第１の点（Ｐ１）はアンテナ（Ｌ）の少なくとも１つの巻回（Ｓ）により、アンテナ（Ｌ）の第１の終端（Ｄ）に接続され、第１の点（Ｐ１）はアンテナ（Ｌ）の少なくとも１つの巻回（Ｓ）により、アンテナ（Ｌ）の第２の終端（Ｅ）に接続される。
【００３７】
本発明の一実施例によれば、第１の点（Ｐ１）は、第１の終端（Ｄ）に配置される。
【００３８】
本発明の一実施例によれば、第２の点（Ｐ２）は、アンテナの第１の終端（Ｄ）に配置される。
【００３９】
本発明の一実施例によれば、第２の点（Ｐ２）は、アンテナの第２の終端（Ｅ）に配置される。
【００４０】
本発明の一実施例によれば、第２の点（Ｐ２）は、アンテナの少なくとも１つの巻回により、中間タップ（Ａ）に接続される。
【００４１】
本発明の一実施例によれば、第２の点（Ｐ２）はアンテナ（Ｌ）の少なくとも１つの巻回（Ｓ）により、アンテナ（Ｌ）の第１の終端（Ｄ）に接続され、第２の点（Ｐ２）はアンテナ（Ｌ）の少なくとも１つの巻回（Ｓ）により、アンテナ（Ｌ）の第２の終端（Ｅ）に接続される。
【００４２】
本発明の一実施例によれば、第１の点（Ｐ１）はアンテナ（Ｌ）の中間タップ（Ａ）に配置され、第２の点（Ｐ２）はアンテナ（Ｌ）の第１の終端（Ｄ）に配置される。
【００４３】
本発明の一実施例によれば、第１の点及び第２の点（Ｐ１、Ｐ２）は第１の中間タップ（Ａ）と別個であり、第１の点（Ｐ１）は、アンテナ（Ｌ）の少なくとも一巻回（Ｓ）により、第１の終端（Ｄ）に接続され、第１の点（Ｐ１）は、アンテナ（Ｌ）の少なくとも一巻回（Ｓ）により、アンテナ（Ｌ）の第２の終端（Ｅ）に接続される。
【００４４】
本発明の一実施例（図１３、図１４）によれば、第２の点（Ｐ２）はアンテナの第１の端子（Ｄ）に配置され、第１の点（Ｐ１）は、アンテナの少なくとも一巻回により、中間タップ（Ａ）に接続される。
【００４５】
本発明の一実施例によれば、中間タップ（Ａ）は第１の中間タップ（Ａ）を形成し、第１の中間タップ（Ａ）は、アンテナ（Ｌ）の少なくとも一巻回（Ｓ）により、アンテナ（Ｌ）の第１の終端（Ｄ）に接続され、第１の中間タップ（Ａ）は、アンテナ（Ｌ）の少なくとも一巻回（Ｓ）により、アンテナ（Ｌ）の第２の終端（Ｅ）に接続される。
【００４６】
第２の点（Ｐ２）はアンテナ（Ｌ）の第２の中間タップ（Ｐ２）に配置され、第２の中間タップ（Ｐ２）は、アンテナ（Ｌ）の少なくとも一巻回（Ｓ）により、アンテナ（Ｌ）の第１の終端（Ｄ）に接続され、第２の中間タップ（Ｐ２）は、アンテナ（Ｌ）の少なくとも一巻回（Ｓ）により、アンテナ（Ｌ）の第２の終端（Ｅ）に接続される。
【００４７】
本発明の一実施例によれば、キャパシタンスは、第１のキャパシタンス端子（ＣＩＸ）を形成する第１の金属表面と、第２のキャパシタンス端子（ＣＩＥ）を形成する第２の金属表面と、第１の金属表面と第２の金属表面との間に配置されている少なくとも１つの誘電体層とを含む。
【００４８】
本発明の一実施例によれば、キャパシタンスは、第１の側部、及び第１の側部と離れた第２の側部を有する少なくとも１つの誘電体層と、
誘電体層の第１の側部に第１のキャパシタンス端子（ＣＩＸ）を形成する第１の金属表面と、
誘電体層の第２の側部に第２のキャパシタンス端子（ＣＩＥ）を形成する第２の金属表面と、
誘電体層の第１の側部に、第１の金属表面と離れて配置されている第３のキャパシタンス端子（ＣＩＦ）を形成する第３の金属表面とを備え、
第１のキャパシタンス端子（ＣＩＸ）は、第２のキャパシタンス端子（ＣＩＥ）との間で第１のキャパシタンス値（Ｃ２）を規定し、
第３のキャパシタンス端子（ＣＩＦ）は、第２のキャパシタンス端子（ＣＩＥ）との間で第２のキャパシタンス値（Ｃ１）を規定し、
第１のキャパシタンス端子（ＣＩＸ）は、第３のキャパシタンス端子（ＣＩＦ）との間で第３の結合キャパシタンス値（Ｃ１２）を規定し、
キャパシタンスは、
アクセス端子のうちの１つのアクセス端子に第３のキャパシタンス端子（ＣＩＦ）を接続する接続手段を更に備える。
【００４９】
本発明の一実施例によれば、アンテナ（Ｌ）は、連続する少なくとも１つの第１の巻回（Ｓ１）、少なくとも１つの第２の巻回、及び少なくとも１つの第３の巻回を備え、第１の巻回（Ｓ１）は、第２の巻回に接続された反転点（ＰＲ）に、第１の巻回方向に第２の終端（Ｅ）から延在し、第２の巻回及び第３の巻回（Ｓ２、Ｓ３）は、第１の終端（Ｄ）に、第１の巻回方向の逆である第２の巻回方向に、反転点（ＰＲ）から延在し、
アンテナ（Ｌ）の第１の点（Ｐ）及びアンテナ（Ｌ）の第２の点（Ｐ２）は、第２の巻回及び第３の巻回（Ｓ２、Ｓ３）に配置されている。
【００５０】
本発明の一実施例によれば、アンテナ（Ｌ）は、アンテナの２つの第３の点及び第４の点（Ｅ、Ｄ）間で連続する少なくとも１つの第１の巻回（Ｓ１）及び少なくとも１つの第２の巻回（Ｓ２、Ｓ３）を備え、第１の巻回（Ｓ１）は反転点（ＰＲ）により、第２の巻回（Ｓ２、Ｓ３）に接続され、第１の巻回（Ｓ１）は第３の点（Ｅ）から反転点（ＰＲ）に第１の巻回方向に延在し、第２の巻回（Ｓ２、Ｓ３）は第１の巻回方向の逆である第２の巻回方向に、反転点（ＰＲ）から第４の点（Ｄ）に延在する。
【００５１】
本発明の一実施例（図１２、図３１、図３２）によれば、アンテナ（Ｌ）は、アンテナの２つの第３の点及び第４の点（Ｅ、Ｄ）間で連続する少なくとも１つの第１の巻回（Ｓ１）及び少なくとも１つの第２の巻回（Ｓ２、Ｓ３）を備え、第１の巻回（Ｓ１）は反転点（ＰＲ）により、第２の巻回（Ｓ２、Ｓ３）に接続され、第１の巻回（Ｓ１）は第３の点（Ｅ）から反転点（ＰＲ）に第１の巻回方向に延在し、第２の巻回（Ｓ２、Ｓ３）は第１の巻回方向の逆である第２の巻回方向に、反転点（ＰＲ）から第４の点（Ｄ）に延在し、
第１の点（Ｐ１）はアンテナ（Ｌ）の中間タップ（Ａ）に配置され、第２の点（Ｐ２）はアンテナ（Ｌ）の第１の終端（Ｄ）に配置される。
【００５２】
本発明の一実施例（図１５、図１７）によれば、アンテナ（Ｌ）は、アンテナの２つの第３の点及び第４の点（Ｅ、Ｄ）間で連続する少なくとも１つの第１の巻回（Ｓ１）及び少なくとも１つの第２の巻回（Ｓ２、Ｓ３）を備え、第１の巻回（Ｓ１）は反転点（ＰＲ）により、第２の巻回（Ｓ２、Ｓ３）に接続され、第１の巻回（Ｓ１）は第３の点（Ｅ）から反転点（ＰＲ）に第１の巻回方向に延在し、第２の巻回（Ｓ２、Ｓ３）は第１の巻回方向の逆である第２の巻回方向に、反転点（ＰＲ）から第４の点（Ｄ）に延在し、
第１の点（Ｐ１）は第１の終端（Ｄ）に配置される。
【００５３】
本発明の一実施例によれば、アンテナの少なくとも一巻回（Ｓ２）は、巻回（Ｓ２）の残り（Ｓ２”）によって取り囲まれた表面に対し、又は、アンテナ（３）の他の巻回によって取り囲まれた表面に対して、取り囲まれたより小さな表面の巻回（Ｓ２）の巻線（Ｓ２’）を直列に有する。
【００５４】
本発明の一実施例によれば、アンテナ（３）の巻回（Ｓ）は、別個のいくつかの物理平面にわたって分散される。
【００５５】
本発明の一実施例によれば、同調キャパシタンス（Ｃ１）は、２つの第１の端部及び第２の端部（ＳＣ３１、ＳＣ３２）を備える少なくとも１つの第３の巻回（ＳＣ３）によって、かつ、２つの第１の端部及び第２の端部（ＳＣ４１、ＳＣ４２）を備える少なくとも１つの第４の巻回（ＳＣ４）によって形成される第２のキャパシタンス（ＺＺ）を備え、第３の巻回（ＳＣ３）は、第３の巻回（ＳＣ３）の第１の端部（ＳＣ３１）と第４の巻回（ＳＣ４）の第２の端部（ＳＣ４２）との間の少なくとも同調キャパシタンス（Ｃ１）を規定するよう第４の巻回（ＳＣ４）と電気的に分離され、
第３の巻回の第１の端部（ＳＣ３１）は、第４の巻回（ＳＣ４）の第１の端部（ＳＣ４１）からよりも、第４の巻回（ＳＣ４）の第２の端部（ＳＣ４２）から更に遠く、第３の巻回（ＳＣ３）の第２の端部（ＳＣ３２）は、第４の巻回（ＳＣ４）の第２の端部（ＳＣ４２）からよりも第４の巻回（ＳＣ４）の第１の端部（ＳＣ４１）から更に遠く、第２のキャパシタンスは、第３の巻回（ＳＣ３）の第１の端部（ＳＣ３１）と第４の巻回（ＳＣ４）の第２の端部（ＳＣ４２）との間で規定される。
【００５６】
本発明の一実施例によれば、中間タップ（Ａ）と第２のキャパシタンスとの間のアンテナの少なくとも１つの巻回（Ｓ１）が存在している。
【００５７】
本発明の一実施例によれば、第１の結合手段は、第１に、第１のアクセス端子及び第２のアクセス端子（１，２）と並列に電気接続された少なくとも一巻回（Ｓ２）と、第２に、アンテナの他の少なくとも一巻回（Ｓ１）との間の相互インダクタンスによる結合（ＣＯＵＰＬ１２）を確実にするよう提供され、第２の結合手段は、アンテナの他の少なくとも一巻回（Ｓ１）と、第２のキャパシタンス（ＺＺ）の少なくとも１つの第３及び第４の巻回（ＳＣ３，ＳＣ４）との間の相互インダクタンスによる結合（ＣＯＵＰＬ１２）を確実にするよう提供される。
【００５８】
本発明の一実施例によれば、第１の結合手段は、第１に、第１のアクセス端子及び第２のアクセス端子（１，２）と並列に電気接続されたアンテナの少なくとも一巻回（Ｓ２）と、第２に、アンテナの他の少なくとも一巻回（Ｓ１）との至近性によって形成され、第２の結合手段は、アンテナの他の少なくとも一巻回（Ｓ１）と、第２のキャパシタンス（ＺＺ）の少なくとも１つの第３の巻回及び第４の巻回（ＳＣ３，ＳＣ４）との間の至近性によって形成される。
【００５９】
本発明の一実施例によれば、第３の巻回（ＳＣ３）及び第４の巻回（ＳＣ４）はインターリーブされる。
【００６０】
本発明の一実施例によれば、第３の巻回（ＳＣ３）は少なくとも１つの第３の区間を備え、第４の巻回（ＳＣ４）は第４の区間を備え、第３の区間は第４の区間に隣接して位置している。
【００６１】
本発明の一実施例によれば、上述の区間は互いに並列に延在している。
【００６２】
本発明の一実施例によれば、同調キャパシタンス（Ｃ１）は第１のキャパシタンス端子（Ｃ１Ｘ）と第２のキャパシタンス端子（Ｃ１Ｅ）との間の誘電体を有する第１のキャパシタンス（Ｃ１）を有し、第１のキャパシタンス（Ｃ１）は、配線エレメント、エッチングされたエレメント、個別エレメント、又は印刷エレメントの形態で作製される。
【００６３】
本発明の一実施例（図１６、図１８）によれば、別のキャパシタンス（Ｃ３０）は、アンテナの少なくとも一巻回により、第２の点（Ｐ２）に接続されたアンテナの点（ＰＣ１）と第２の終端（Ｅ）との間に接続される。
【００６４】
本発明の一実施例（図２０、図２２）によれば、同調キャパシタンス（Ｃ１）は、第２のキャパシタンス（Ｚ）と直列の第１のキャパシタンス（Ｃ３０）を備える。
【００６５】
本発明の一実施例（図２２）によれば、第１のキャパシタンス（Ｃ３０）は、第３の巻回（ＳＣ３）の第１の端子（ＳＣ３１）に接続された第２の点（Ｐ２）とアンテナの第２の終端（Ｅ）との間に接続され、中間タップ（Ａ）は、第１の点（Ｐ１）を形成する第４の巻回（ＳＣ４）の第２の端子（ＳＣ４２）に接続され、第４の巻回（ＳＣ４）の第１の端子（ＳＣ４１）はアンテナの第１の終端（Ｄ）を形成する。
【００６６】
本発明の一実施例（図２０）によれば、第１のキャパシタンス（Ｃ３０）は、少なくとも一巻回（Ｓ１０）により、第３の巻回（ＳＣ３）の第１の端子（ＳＣ３１）に接続された第２の点（Ｐ２）とアンテナの第２の終端（Ｅ）との間に接続され、中間タップ（Ａ）は、第１の点（Ｐ１）を形成する第４の巻回（ＳＣ４）の第２の端子（ＳＣ４２）に接続され、第４の巻回（ＳＣ４）の第１の端子（ＳＣ４１）はアンテナの第１の終端（Ｄ）を形成する。
【００６７】
本発明の一実施例（図２１）によれば、第１の点（Ｐ１）は中間タップ（Ａ）に配置され、第２の点（Ｐ２）はアンテナの第２の終端（Ｅ）に配置される。
【００６８】
本発明の一実施例（図１９）によれば、第１の点（Ｐ１）は第１の終端（Ｄ）に配置され、第２の点（Ｐ２）は第２の終端（Ｅ）に配置される。
【００６９】
本発明の一実施例によれば、少なくとも１つの第３の巻回（ＳＣ３）及び少なくとも１つの第４の巻回（ＳＣ４）は、第２の固有共振周波数を有する第２のサブ回路を規定し、第１のアクセス端子及び第２のアクセス端子（１，２）は、第１のアクセス端子及び第２のアクセス端子（１，２）に接続された少なくとも一巻回（Ｓ２）、及び第１のアクセス端子及び第２のアクセス端子（１，２）に接続されたモジュール（Ｍ）とともに、第１の固有共振周波数を有する第１のサブ回路を規定し、上述の巻回は、第１の固有共振周波数と第２の固有共振周波数との間の周波数差が１０ＭＨ以下であるように配置される。
【００７０】
本発明の一実施例によれば、少なくとも１つの第３の巻回（ＳＣ３）及び少なくとも１つの第４の巻回（ＳＣ４）は、第２の固有共振周波数を有する第２のサブ回路を規定し、第１のアクセス端子及び第２のアクセス端子（１，２）は、第１のアクセス端子及び第２のアクセス端子（１，２）に接続された少なくとも一巻回（Ｓ２）及び接続されたモジュール（Ｍ）とともに、第１の固有共振周波数を有する第１のサブ回路を規定し、上述の巻回は、第１の固有共振周波数と第２の固有共振周波数との間の周波数の差が５００ＫＨｚであるように配置される。
【００７１】
本発明の一実施例によれば、少なくとも１つの第３の巻回（ＳＣ３）及び少なくとも１つの第４の巻回（ＳＣ４）は第２の固有共振周波数を規定し、第１のアクセス端子及び第２のアクセス端子（１，２）は、それらに接続されたモジュール（Ｍ）、及び前記第１のアクセス端子及び前記第２のアクセス端子（１，２）に接続された少なくとも１つの巻回（ＳＣ２）とともに、第１の固有共振周波数を有する第１のサブ回路を規定し、巻回は、第１の固有共振周波数及び第２の固有共振周波数がほぼ等しいように配置される。
【００７２】
本発明の一実施例（図２９、図３０）によれば、アンテナは、第１の終端（Ｄ）から中間点（ＰＭ）に延在する区画上の巻回数と、中間点（ＰＭ）から第２の終端（Ｅ）に延在する区画上の巻回数が等しい、基準電位に電位を設定するための中間点（ＰＭ）を含む。
【００７３】
本発明の一実施例によれば、アンテナは基板上に配置される。
【００７４】
本発明の一実施例によれば、アンテナは配線である。
【００７５】
本発明の一実施例によれば、端子（Ｄ，Ｅ，１，２，Ｃ１Ｅ，Ｃ１Ｘ）、タップ（Ａ）、点（Ｐ１，Ｐ２）、及びキャパシタンス（Ｃ１，ＺＺ）は、複数の少なくとも３つのノードを規定し、上記ノードは、互いに離れた２つの第１のノード（１，Ｃ１Ｅ）間の少なくとも１つの巻回の少なくとも１つの第１の群（Ｓ１）と、互いに離れた２つの第２のノード（１，２）間の少なくとも１つの別の巻回（Ｓ２）の少なくとも１つの第２の群とを規定し、第１のノードの少なくとも１つは、第２のノードの少なくとも１つとは別であり、少なくとも一巻回の第１の群（Ｓ１）が少なくとも１つの別の巻回（Ｓ２）の第２の群の近傍に配置されることにより、少なくとも一巻回の第１の群（Ｓ１）と少なくとも１つの別の巻回（Ｓ２）の第２の群との間の相互インダクタンスにより、結合（ＣＯＵＰＬ１２）を確実にするよう第１の結合手段が提供される。
【００７６】
本発明の一実施例によれば、端子（Ｄ，Ｅ，１，２，Ｃ１Ｅ，Ｃ１Ｘ）、タップ（Ａ）、点（Ｐ１，Ｐ２）、及びキャパシタンス（Ｃ１，ＺＺ）は複数の少なくとも３つのノードを規定し、ノードは、互いに別個の２つの第１のノード（１，Ｃ１Ｅ）間の少なくとも１つの巻回の少なくとも１つの第１の群（Ｓ１）、互いに別個の２つの第２のノード（１，２）間の少なくとも１つの別の巻回（Ｓ２）の少なくとも１つの第２の群、及び互いに別個の２つの第３のノード（Ｅ，Ｃ１Ｘ）間の少なくとも１つの別の巻回（ＳＣ３，ＳＣ４）の少なくとも１つの第３の群を規定し、第１のノードの少なくとも１つは第２のノードの少なくとも１つと異なり、第１のノードの少なくとも１つは第３のノードの少なくとも１つと異なり、第３のノードの少なくとも１つは第２のノードの少なくとも１つと異なり、
少なくとも１つの巻回の第１の群（Ｓ１）が、少なくとも１つの別の巻回（Ｓ２）の第２の群の近傍に配置されていることにより、第１に、少なくとも１つの巻回の第１の群（Ｓ１）と、第２に、少なくとも１つの別の巻回（Ｓ２）の第２の群との間の相互インダクタンスにより、結合（ＣＯＵＰＬ１２）を確実にするために第１の結合手段が提供され、
少なくとも１つの巻回の第１の群（Ｓ１）が、少なくとも１つの別の巻回（ＳＣ３，ＳＣ４）の第３の群の近傍に配置されていることにより、第１に、少なくとも１つの巻回の第１の群（Ｓ１）と、第２に、少なくとも１つの別の巻回（ＳＣ３，ＳＣ４）の第３の群との間の相互インダクタンスにより、結合（ＣＯＵＰＬＺＺ）を確実にするために第２の結合手段が提供される。
【００７７】
本発明の一実施例によれば、少なくとも１つの巻回の第１の群（Ｓ１）は、少なくとも１つの別の巻回（ＳＣ３、ＳＣ４）の第３の群と少なくとも１つの別の巻回（Ｓ２）の第２の群との間に配置される。
【００７８】
本発明の一実施例によれば、別々の群に属する巻回（Ｓ１，Ｓ２，ＳＣ３，ＳＣ４）を隔てる距離は、２０ミリメートル以下である。
【００７９】
本発明の一実施例によれば、別々の群に属する巻回（Ｓ１，Ｓ２，ＳＣ３，ＳＣ４）を隔てる距離は、１０ミリメートル以下である。
【００８０】
本発明の一実施例によれば、別々の群に属する巻回（Ｓ１，Ｓ２，ＳＣ３，ＳＣ４）を隔てる距離は、１ミリメートル以下である。
【００８１】
本発明の一実施例によれば、別々の群に属する巻回（Ｓ１，Ｓ２，ＳＣ３，ＳＣ４）を隔てる距離は、８０マイクロメートル以下である。
【００８２】
これは、巻回（Ｓ１，Ｓ２）の群を隔てる距離である。
【００８３】
本発明の実施例によれば、少なくとも、電荷としてのリーダ（ＬＥＣＴ）及び／又は少なくとも、電荷としてのトランスポンダ（ＴＲＡＮＳ）がアクセス端子（１，２）に接続される。
【００８４】
本発明の実施例によれば、回路は、互いに別個のいくつかの第１のアクセス端子（１）及び／又は互いに別個のいくつかの第２のアクセス端子を含む。
【００８５】
本発明の実施例によれば、少なくとも１つの第１のアクセス端子（１）及び少なくとも１つの第２のアクセス端子（２）は、高周波帯において第１の所定の同調周波数を有する少なくとも１つの第１の電荷（Ｚ１）及び別の超高周波帯において第２の所定の同調周波数を有する少なくとも１つの第２の電荷（Ｚ２）に接続される。
【００８６】
本発明により、アンテナによる受信又は放射電力を維持し、又は増加させ、第２の外部ＲＦＩＤアンテナ回路との結合中に発生する相互インダクタンスを維持し、又は低減させる一方で、適度に増加させたか、又はほとんど増加させない帯域幅を維持するために、適度な品質係数を維持するか、又はその増加を制限するよう管理される（品質係数は、−３ｄＢにおける帯域幅で共振周波数を除算したものに等しい）。
【００８７】
特に、これは、適度なサイズ（＞１６ｃｍ２）の先行技術のＲＦＩＤ／ＮＦＣリーダの場合、アンテナを１つ又は２つの巻回に制限し、削減されたサイズのアンテナ（＜１６ｃｍ２）の場合、３つ又は４つの巻回に制限する必要性を解消する。従来技術のＲＦＩＤ／ＮＦＣリーダでは、最小電力よりも大きな放射及び受信電力、及び最小のバンドよりも大きな帯域幅を保証するために、適度なサイズ（＞１６ｃｍ２）のアンテナの場合、最大１又は２巻回になるように備えられ、削減されたサイズ（＜１６ｃｍ２）のアンテナの場合、最大３又は４巻回になるように備えられる。従来技術のトランスポンダでは、巻回数は、アンテナ表面及びシリコン容量と、所望の同調周波数（約１３．５６ＭＨｚ乃至２０ＭＨｚ）との間のトレードオフによって課される。したがって、トランスポンダの場合、アンテナ内の巻回の数に関する自由度はほとんどなく、よって、アンテナの無線効率に関する自由度は小さく、よって、第２の外部ＲＦＩＤアンテナ回路との結合中に発生する相互インダクタンス及び結合、捕捉された磁場、品質係数に対する動作に関する自由度はほとんどない。
【００８８】
送信用であっても受信用であっても、本発明の回路は、特に、受信器又は送信モードで動作する第２の外部ＲＦＩＤアンテナ回路との相互インダクタンスを削減することができる。電流密度が特に、インダクタンスの能動的な部分に集中しているからである。技術を押し広める目的で単純にすることにより、２つの回路間の相互インダクタンスは、回路の対向する巻回の数に比例する。相互インダクタンスを削減することにより、短距離（例えば、＜２ｃｍ）でのアンテナ回路の周波数同調に対する摂動が制限される。相互インダクタンスにおけるこの削減は、放射電力又は受信電力を犠牲にして生じるものでない。
【００８９】
当業者に知られている、コイル巻線を有するＨＦ  ＲＦＩＤ／ＮＦＣアンテナ・システムを左右する３つの規則を検討する。
【００９０】
円形アンテナの場合、磁場（Ｈ）は、
【００９１】
【数１】
で定義される。Ｎはアンテナの巻回数であり、Ｒはアンテナの半径であり、ｘはアンテナに対して垂直である方向ｘにおけるアンテナの中心からの距離である。
【００９２】
相互インダクタンス（Ｍ）は、
【００９３】
【数２】
で定義され、ここで、Ｎ１は第１のアンテナの巻回数であり、Ｎ２は第２のアンテナの巻回数である。相互インダクタンスは、２つの導体ループを結合するフラックスの定量的な記述である。
【００９４】
アンテナの品質係数（Ｑ）は、
Ｑ＝Ｌ＊２π＊Ｆｏ／Ｒａ＝Ｆｏ／（−３ｄＢにおける帯域幅）
で規定される。
【００９５】
結合効率（Ｋ）は、
【００９６】
【数３】
で定義される。
【００９７】
結合係数（Ｋ）は、その幾何学的寸法と無関係にアンテナの結合の定性的な予測をもたらす。Ｌ１は第１のアンテナのインダクタンスであり、Ｌ２は第２のアンテナのインダクタンスである。
【００９８】
磁性アンテナの無線効率を増加させる可能性を以下に説明する。
【００９９】
半径Ｒ、及びアンテナ内電流Ｉが課されたとすれば、発出された磁場（Ｈ）又は受け取られた磁場（Ｈ）を増加させるためには、アンテナの巻回の数Ｎを増加させなければならない。
【０１００】
２つのアンテナ間の相互インダクタンス（Ｍ）を増加させるためには、Ｒ１及びＲ２が課されたとすれば、Ｎ１及び／又はＮ２を増加させなければならない。
【０１０１】
アンテナの品質係数（Ｑ）を削減するためには、アンテナのインダクタンス（Ｌ）を削減し、かつ／又は、アンテナの抵抗（Ｒａ）を増加させなければならない。
【０１０２】
２つのアンテナ間の結合（ｋ）を増加させるためには、相互インダクタンス（Ｍ）を増加させなければならず、かつ／又は、相互インダクタンス（Ｍ）を低減させることなく２つのアンテナのインダクタンスＬ１及びＬ２を低減させなければならない。
【０１０３】
前述に関する問題点及びパラメータは以下の通りである。
【０１０４】
発出された磁場又は捕捉された磁場、結合、相互インダクタンス、及び帯域幅を犠牲にすることなく、アンテナの大局的な無線効率を増加させることは困難である。例えば、巻回の数を増加させることにより、好適な増加がインダクタンス、磁場、及び相互インダクタンスにおいて得られるが、帯域幅は、品質係数の増加によって削減される。
【０１０５】
考えられる選択肢を要約すれば、
放射又は捕捉された磁場は、アンテナ内の巻回の数に依存する。理想的には、巻回の数は増加させなければならない。
【０１０６】
結合係数は、２つのアンテナのインダクタンスの逆関数である。アンテナのインダクタンスを削減するために、２つのアンテナ間の結合係数を増加させる。この場合も又、理想的には、相互インダクタンスを増加させなければならないか、又は相互インダクタンスの損失を制限しなければならない。
【０１０７】
相互インダクタンスは、アンテナの巻回の数の関数である。したがって、アンテナの巻回の数を増加させることにより、２つのアンテナ間の相互インダクタンスが増加する。結合係数を考慮すれば、理想的には、アンテナのインダクタンスは増加させてはならない。
【０１０８】
帯域幅は、アンテナのインダクタンスの関数であり、アンテナの抵抗の逆関数である。よって、理想的には、アンテナのインダクタンスは削減しなければならず、その抵抗は増加させなければならない。
【０１０９】
磁場についての締めくくりとして、巻回数は同じか、又はそれ以上でなければならない。
【０１１０】
結合係数についての締めくくりとして、相互インダクタンスは同じでなければならず、若しくは増加させなければならず、かつ／又は、アンテナのインダクタンスを削減しなければならない。
【０１１１】
相互インダクタンスについての締めくくりとして、巻回数は同じでなければならないか、又は増加させなければならない。
【０１１２】
品質係数についての締めくくりとして、アンテナのインダクタンスは、同じでなければならないか、若しくは削減しなければならず、かつ／又は、アンテナの抵抗を増加させなければならない。
【０１１３】
本発明の解決策は、例えば、アンテナを形成する少なくとも２つの巻回において異なる電流密度を有し、したがって、アンテナ内に均一な電流を有することなく、よって、少なくとも２つの別々の巻回において異なる電流を有するなどの、アンテナ内の電流の分布を本発明の方法を使用してパラメータ化する可能性を提供する。
【０１１４】
アンテナ内に均一な電流を有しないことにより、アンテナを形成する少なくとも２つの巻回間でのインダクタンス及び抵抗の値におけるばらつきを得ることが可能である。理想的には、よって、アンテナの汎用抵抗の値に対するアンテナのインダクタンスの汎用値を進めるか、又は制限することが考えられ、逆も同様である。
【０１１５】
電流の均一でない分布、及び直接パラメータにおけるばらつきにより、理想的には、発生した磁場又は受け取られた磁場、相互インダクタンス、結合、及びアンテナの空間におけるそれらの分布などの間接パラメータを上げるか、又は制限することが可能である。
【０１１６】
したがって、一部の実施例では、回路は、アンテナの２つの端部間の電流の分布を非均一にするための手段を備える。
【０１１７】
したがって、巻き付けられたＮ個の巻回をアンテナが含む「従来の」ル―プ・アンテナを有する従来技術の手法との間での基本的な相違点が分かり得る。従来のループ・アンテナでは、電流は、非常に均一であるとみなされる。したがって、直接パラメータ（インダクタンス、アンテナ抵抗、帯域幅）をパラメータ化するか、又は、間接パラメータ（発生した磁場又は捕捉された磁場、結合、相互インダクタンス）と相互に変動させる手段はほとんどない。
【０１１８】
本発明の解決策及び考えられる実施例は、その場合、発出された、又は捕捉された磁場、結合、相互インダクタンス、及び帯域幅の理想的な使用を可能にする、インダクタンス及びキャパシタンス、接続端子、いわゆる「能動」インダクタンス、いわゆる「受動」インダクタンス、いわゆる「負性インダクタンス」の特定の配置という概念を導入する。
【０１１９】
最後に、電荷、あるいは、電荷及びインダクタンス、あるいは、インダクタンス、あるいは周波数同調回路を有するキャパシタンスの特定の配置は、本願提案の目的を達成することに関係する。
【図面の簡単な説明】
【０１２０】
【図１Ａ】本発明によるトランスポンダとしてのアンテナ回路の実施例を示す図である。
【図１Ｂ】図１Ａにおける回路の等価的な電気レイアウトを示す図である。
【図２Ａ】本発明によるトランスポンダとしてのアンテナ回路の実施例を示す図である。
【図２Ｂ】図２Ａにおける回路の等価的な電気レイアウトを示す図である。
【図３Ａ】本発明によるトランスポンダとしてのアンテナ回路の実施例を示す図である。
【図３Ｂ】図３Ａにおける回路の等価的な電気レイアウトを示す図である。
【図４Ａ】本発明によるトランスポンダとしてのアンテナ回路の実施例を示す図である。
【図４Ｂ】図４Ａにおける回路の等価的な電気レイアウトを示す図である。
【図５Ａ】本発明によるリーダとしてのアンテナ回路の実施例を示す図である。
【図５Ｂ】図５Ａにおける回路の等価的な電気レイアウトを示す図である。
【図６Ａ】本発明によるリーダとしてのアンテナ回路の実施例を示す図である。
【図６Ｂ】図６Ａにおける回路の等価的な電気レイアウトを示す図である。
【図７Ａ】本発明によるリーダとしてのアンテナ回路の実施例を示す図である。
【図７Ｂ】図７Ａにおける回路の等価的な電気レイアウトを示す図である。
【図８Ａ】本発明によるリーダとしてのアンテナ回路の実施例を示す図である。
【図８Ｂ】図８Ａにおける回路の等価的な電気レイアウトを示す図である。
【図９Ａ】本発明によるリーダとしてのアンテナ回路の実施例を示す図である。
【図９Ｂ】図９Ａにおける回路の等価的な電気レイアウトを示す図である。
【図１０】一実施例におけるアンテナを示す図である。
【図１１Ａ】本発明によるリーダとしてのアンテナ回路の実施例を示す図である。
【図１１Ｂ】図１１Ａにおける回路の等価的な電気レイアウトを示す図である。
【図１２】本発明による回路の実施例を示す図である。
【図１３】本発明による回路の実施例を示す図である。
【図１４】本発明による回路の実施例を示す図である。
【図１５】本発明による回路の実施例を示す図である。
【図１６】本発明による回路の実施例を示す図である。
【図１７】本発明による回路の実施例を示す図である。
【図１８】本発明による回路の実施例を示す図である。
【図１９】本発明による回路の実施例を示す図である。
【図２０】本発明による回路の実施例を示す図である。
【図２１】本発明による回路の実施例を示す図である。
【図２２】本発明による回路の実施例を示す図である。
【図２３】本発明による回路の実施例を示す図である。
【図２４】本発明による回路の実施例を示す図である。
【図２５】本発明による回路の実施例を示す図である。
【図２６】本発明による回路の実施例を示す図である。
【図２７】本発明による回路の実施例を示す図である。
【図２８】本発明による回路の実施例を示す図である。
【図２９】本発明による回路の実施例を示す図である。
【図３０】本発明による回路の実施例を示す図である。
【図３１】本発明による回路の実施例を示す図である。
【図３２】本発明による回路の実施例を示す図である。
【図３３】本発明による回路の実施例を示す図である。
【図３４】本発明による回路の実施例を示す図である。
【図３５】本発明による回路の実施例を示す図である。
【図３６】本発明による回路の実施例を示す図である。
【図３７】本発明による回路の実施例を示す図である。
【図３８】本発明による回路の実施例を示す図である。
【図３９】本発明による回路の実施例を示す図である。
【図４０】本発明による回路の実施例を示す図である。
【図４１】本発明による回路の実施例を示す図である。
【図４２】本発明による回路の実施例を示す図である。
【図４３】本発明による回路の実施例を示す図である。
【図４４】本発明による回路の実施例を示す図である。
【図４５】本発明による回路の実施例を示す図である。
【図４６】本発明による回路の実施例を示す図である。
【発明を実施するための形態】
【０１２１】
本発明は、添付図面を参照して、限定でない例として表されているに過ぎない以下の明細書を読むと、よりうまく理解されるであろう。
【実施例】
【０１２２】
以下では、アンテナ回路は、アンテナを介して電磁放射を発出する回路、又はアンテナを介して電磁放射を受け取る回路であり得る。
【０１２３】
第１の適用例では、ＲＦＩＤアンテナ回路は、腕時計、デュアル・カード又はデュアル・インタフェース・カード用ステッカー（ステッカー自体がＲＦＩＤ／ＮＦＣアンテナを有する）、「ＲＦＩＤ又はＮＦＣ  ＳＩＭカード」と呼ばれる（Ｕ）ＳＩＭカード及びＳＩＭカード、ＵＳＢキー、パスポートなどの、公的権限によって発行された文書などの紙文書に一体化される対象の携帯カード、タグとして機能するための、トランスポンダ・タイプのものである。
【０１２４】
第２の適用例では、読み取るための（すなわち、携帯電話機、ＰＤＡ、コンピュータなどの、第１のケースにおいて定義したものなどの、トランスポンダのＲＦＩＤアンテナによって放射された信号を少なくとも受け取るための）リーダ・タイプのものである。
【０１２５】
一般に、回路は、絶縁体基板ＳＵＢ上の導体の少なくとも３つの巻回Ｓを含むアンテナ３を備える。巻回Ｓは、アンテナ３の第１の終端Ｄとアンテナ３の第２の終端Ｅとの間で所定値を有するインダクタンスＬを規定する配置を有する。
【０１２６】
図１Ａ及び図１Ｂに示す実施例では、アンテナ３は、外部終端Ｅから内部終端Ｄまでの３つの連続巻回Ｓ１、Ｓ２、Ｓ３を含む。
【０１２７】
第１のアクセス端子１は、その終端Ｄ、Ｅ間でアンテナ３の中間タップ又は中間点Ａに導体ＣＯＮ１Ａによって接続される。
【０１２８】
所定の同調周波数（すなわち、例えば、１３．５６ＭＨｚ乃至２０ＭＨｚの共振周波数）における同調キャパシタンスＣが、アンテナ３のインダクタンスＬと組み合わせて設けられる。
【０１２９】
アンテナ３の第２の終端Ｅは、キャパシタンスＣの第２の端子Ｃ１Ｅに導体ＣＯＮ２Ｅを介して接続される。
【０１３０】
キャパシタンスＣの第１の端子Ｃ１Ｘは、アンテナ３の第１の点Ｐ１を形成する中間タップＡに導体ＣＯＮ３１を介して接続される。
【０１３１】
第２のアクセス端子２は、アンテナ３の第２の点Ｐ２を形成する第１の終端Ｄに導体ＣＯＮ３２を介して接続される。点Ｐ２は、点Ａと異なる。
【０１３２】
２つのアクセス端子１，２は電荷を接続する役目を担う。
【０１３３】
本発明によれば、第１の点Ａ，Ｐ１と第２の点Ｐ２との間に少なくとも１つの巻回Ｓが存在している。
【０１３４】
中間タップＡ，Ｐ１は、アンテナＬの少なくとも一巻回Ｓ（すなわち、図１の巻回Ｓ３）により、終端Ｄに接続される。中間タップＡ，Ｐ１は、アンテナＬの少なくとも一巻回Ｓ（すなわち、巻回Ｓ３及びＳ２間に中間タップＡが配置された、図１の２つの巻回Ｓ１及びＳ２）により、アンテナＬの第２の終端Ｅに接続される。
【０１３５】
一般に、本発明によれば、点Ｄ、Ｅ、１、２、Ａ、Ｃ１Ｅ、Ｃ１Ｘ、Ｐ１、Ｐ２は回路の電気ノードを形成する。直結させた点は（例えば、接続手段が導電体である場合）同じノードを形成する。別個の２つのノードは、少なくとも１つの巻回によって接続される。
【０１３６】
図１Ａ中の回路を示す等価図（図１Ｂ）では、図１Ａ中の回路は、アクセス端子１、２間の第３の巻回Ｓ３によって形成される能動インダクタンスと呼ばれる第１のインダクタンスＬ１を有する。中間タップＡと端子Ｅとの間には、第１の巻回Ｓ１及び第２の巻回Ｓ２によって形成される受動インダクタンスと呼ばれる第２のインダクタンスＬ２が存在している。第２のインダクタンスＬ２は、中間タップＡと端子Ｅとの間のキャパシタンスＣと並列に配置される。第１のインダクタンスＬ１及び第２のインダクタンスＬ２の和は、アンテナ３の合計インダクタンスＬに等しい。明らかに、アンテナ３は、図全てに示している訳でない、巻き回間結合キャパシタンス及びそのインダクタンスＬと直列である抵抗を有する。
【０１３７】
キャパシタンスＣは、何れかのタイプの手法のものであり、何れかの製造手法を使用し得る。図１Ａの例では、キャパシタンスＣは、巻回Ｓの中心における基板の自由領域上に配置されたプレーナ・タイプのものである。図１Ａでは、キャパシタンスＣは、第２のキャパシタンス端子Ｃ１Ｅを形成し、基板によって収容される第２の金属表面Ｓ１Ｅ、第１のキャパシタンス端子Ｃ１Ｘを形成する第１の金属表面Ｓ１Ｘを有するコンデンサを含む。１つ又は複数の誘電体層が、第１の金属表面Ｓ１Ｘと第２の金属表面Ｓ１Ｅとの間に配置される。
【０１３８】
図１Ａ及び図１Ｂに示す実施例は、アンテナ３の効率を増加させることを可能にする。
【０１３９】
図２Ａ及び図２Ｂに示す実施例は、図１Ａ及び図１Ｂに示す実施例の変形である。
【０１４０】
図２Ａ及び図２Ｂでは、中間タップＡ，Ｐ１は、巻回Ｓ１及びＳ２間に位置している。中間タップＡ，Ｐ１は、アンテナＬの少なくとも１つの巻回Ｓ（すなわち、２つの巻回Ｓ２及びＳ３）により、終端Ｄに接続される。中間タップＡ，Ｐ１は、アンテナＬの少なくとも１つの巻回Ｓ（すなわち、巻回Ｓ１）により、アンテナＬの第２の終端Ｅに接続される。
【０１４１】
キャパシタンスＣは、第１の側部、及び第１の側部と隔てられた第２の側部を有する１つ又は複数の誘電体層を有するキャパシタを含む。第１の金属表面Ｓ１Ｘは、誘電体層の第１の側部に第１のキャパシタンス端子（ＣＩＸ）を形成する。第２の金属表面Ｓ１Ｅは、誘電体層の第２の側部に第２のキャパシタンス端子（ＣＩＥ）を形成する。第１の金属表面Ｓ１Ｘは、第２の金属表面Ｓ１Ｅとともに、キャパシタンス値Ｃ２を規定する。
【０１４２】
第３の金属表面Ｓ１ＦはキャパシタンスＣの第３の端子Ｃ１Ｆを形成する。第３の金属表面Ｓ１Ｆは、第１の金属表面Ｓ１Ｘと同じ、誘電体層の第１の側部に配置されているが、この第１の金属表面Ｓ１Ｘとは隔てられている。第３のキャパシタンス端子Ｃ１Ｆは終端Ｄに導体ＣＯＮ３３によって接続される。第３の金属表面Ｓ１Ｆは、第２の金属表面Ｓ１Ｅとともにキャパシタンス値Ｃ１を規定する。
【０１４３】
第３の金属表面Ｓ１Ｆは、Ｃ１２と呼ばれる結合キャパシタンスを形成するために表面Ｓ１Ｅによって形成される同じ基準端子Ｃ１Ｅを共有することにより、第１の金属表面Ｓ１Ｘに結合される。
【０１４４】
図２Ｂに示す等価図では、図２Ａ中の回路は、アクセス端子１，２間の第２の巻回Ｓ２及び第３の巻回Ｓ３によって形成される、能動インダクタンスと呼ばれる第１のインダクタンスＬ１を有する。中間タップＡと端子Ｅとの間には、第１の巻回Ｓ１によって形成される受動インダクタンスと呼ばれる第２のインダクタンスＬ２が存在している。第１のインダクタンスＬ１及び第２のインダクタンスＬ２の和は、アンテナ３の合計インダクタンスＬに等しい。
【０１４５】
第２のインダクタンスＬ２は、中間タップＡと端子Ｅとの間でキャパシタンスＣ２と並列に位置する。
【０１４６】
第１のインダクタンスＬ１は結合キャパシタンスＣ１２と並列に位置する。
【０１４７】
キャパシタンスＣ１は、第１に、端子Ｄに接続され、第２に、端子Ｅに接続される。
【０１４８】
図２Ａ及び図２Ｂに示す実施例は、キャパシタンスＣ１及びＣ２の配置により、かつ、キャパシタンスＣ１及びＣ２間の結合により、アンテナ３の無線効率を更に増加させることができる。
【０１４９】
図３Ａ及び図３Ｂに示す実施例は、図２Ａ及び図２Ｂに示す実施例の変形である。図３Ａ及び図３Ｂに示す実施例では、第１の点Ｐ１は、第１の中間タップＡと別個であり、少なくとも一巻回Ｓにより、この第１の中間タップＡと隔てられている。アンテナ３は、外部終端Ｅから内部終端Ｄまでの４つの連続巻回Ｓ１、Ｓ２、Ｓ３、Ｓ４によって形成される。更に、例えば、図３Ａ及び図３Ｂでは、キャパシタンスＣは、図２Ａ及び図２Ｂに示すタイプのものである。
【０１５０】
第１の中間タップＡは、巻回Ｓ２と巻回Ｓ３との間に配置される。第１の中間タップＡは、アンテナＬの少なくとも１つの巻回Ｓ（すなわち、２つの巻回Ｓ３及びＳ４）により、終端Ｄに接続される。中間タップＡは、アンテナＬの少なくとも１つの巻回Ｓ（すなわち、２つの巻回Ｓ２及びＳ１）により、アンテナＬの第２の終端Ｅに接続される。
【０１５１】
アクセス端子１は、導体ＣＯＮ１Ａにより、第１の中間タップＡに接続される。
【０１５２】
アクセス端子２は、端子Ｃ１Ｆに接続されない端子Ｄに接続される。
【０１５３】
アクセス端子１，２間で、電荷Ｚが存在している。電荷Ｚは例えば、「シリコン」として大局的に表されるチップであり得る。このチップは一般に、アクセス端子間にも存在し得る。
【０１５４】
端子Ｃ１Ｘは、その端子Ｄ，Ｅと別個に、アンテナ３の第１の点Ｐ１に導体ＣＯＮ３１によって接続される。
【０１５５】
第１の点Ｐ１は、巻回Ｓ３と巻回Ｓ４との間に配置される。第１の点Ｐ１は、アンテナＬの少なくとも１つの巻回Ｓ（すなわち、巻回Ｓ４）により、終端Ｄに接続される。第１の点Ｐ１は、アンテナＬの少なくとも１つの巻回Ｓ（すなわち、３つの巻回Ｓ３、Ｓ２、及びＳ１）により、アンテナＬの第２の終端Ｅに接続される。
【０１５６】
端子Ｄは第２の点Ｐ２を形成する。
【０１５７】
本発明によれば、第１の点Ｐ１と第２の点Ｐ２との間に少なくとも１つの巻回Ｓ（すなわち、巻回Ｓ４）が存在している。
【０１５８】
第３のキャパシタンスＣ１Ｆは、アクセス端子１に導体ＣＯＮ３３によって接続される。
【０１５９】
端子Ｃ１Ｅは、導体ＣＯＮ２Ｅにより、端子Ｅに接続される。
【０１６０】
図３Ｂに示す等価図では、図３Ａの回路は、端子２と点Ｐ１との間の巻回Ｓ４によって形成される能動インダクタンスと呼ばれる第１のインダクタンスＬ１を有する。点Ｐ１とタップＡとの間には、巻回Ｓ３によって形成される、やはり能動とされる第２のインダクタンスＬ１１が存在している。
【０１６１】
中間タップＡと端子Ｅとの間には、２つの巻回Ｓ２及びＳ１によって形成される、受動インダクタンスと呼ばれる第３のインダクタンスＬ３が存在している。第１のインダクタンスＬ１、第２のインダクタンスＬ１１、及び第３のインダクタンスＬ３の和は、アンテナ３の合計インダクタンスＬに等しい。
【０１６２】
第３のインダクタンスＬ３は、中間タップＡと端子Ｅとの間でキャパシタンスＣ１と並列に位置する。
【０１６３】
第２のインダクタンスＬ１１は結合キャパシタンスＣ１２と並列に位置する。
【０１６４】
キャパシタンスＣ２は、第１に、点Ｐ１に接続され、第２に、端子Ｅに接続される。
【０１６５】
明らかに、キャパシタンスＣは、図１Ａに示すタイプのもの（すなわち、Ｃ１及びＣ１２を有する代わりに、図３Ａ及び図３ＢにおけるＰ１とＥとの間のキャパシタンスＣのみを有するもの）であり得る。
【０１６６】
図３Ａ及び図３Ｂに示す実施例は、「能動」及び「受動」のインダクタンス及びキャパシタンスの配置及び組合せにより、アンテナ３の効率を増加させることができる。
【０１６７】
図４Ａ及び図４Ｂに示す実施例は、図１Ａ及び図１Ｂに示す実施例の変形である。図４Ａ及び図４Ｂでは、アンテナ３は、連続する第１の巻回Ｓ１、第２の巻回Ｓ２、及び第３の巻回Ｓ３により、第２の終端Ｅから第１の端子Ｄに形成される。巻回Ｓ１及びＳ２は、第２の終端Ｅから反転点ＰＲに第１の巻線方向に延在し、これは、図４Ａでは時計回りの方向に対応する。巻回Ｓ３は反転点ＰＲから第１の終端Ｄに、第１の巻線方向の逆の第２の巻線方向に（よって、図４Ａ中の反時計回りに）延在する。例えば、内部巻回Ｓ３は、外部巻回Ｓ２及びＳ３と比較して反対方向に延在する。
【０１６８】
アクセス端子１に接続されたアンテナの第１の中間タップＡを形成する第１の点Ｐ１は、反転点ＰＲに配置される。
【０１６９】
本発明によれば、第１の点Ｐ１、Ａと第２の点Ｐ２との間に少なくとも１つの巻回Ｓが存在している。
【０１７０】
アンテナ３内の電流の正の方向は、アンテナ３上に描かれた矢印で示すように、同じ方向に延在する最大数の巻回と、この例において一致して、反転点ＰＲから端子Ｅに延在する方向であるものとする。巻回Ｓ１及びＳ２上に描かれた矢印は、電流のこの正の方向に対応する。
【０１７１】
等価図たる図４Ｂでは、図４Ａ内の回路は、巻回Ｓ２及びＳ１によって形成され、受動インダクタンスと呼ばれる第２の正のインダクタンス＋Ｌ２を有する。
【０１７２】
反転点ＰＲにより、点Ｐ１と点Ｐ２との間で第３の巻回Ｓ３によって形成され、中間タップＡ、Ｐ１と端子Ｄとの間に配置された、能動インダクタンスと呼ばれる第１の負のインダクタンス−Ｌ１が存在している。
【０１７３】
絶対値での第１のインダクタンスＬ１及び第２のインダクタンスＬ２の和は、アンテナ３の合計インダクタンスＬに等しい。
【０１７４】
負のインダクタンス−Ｌ１は、アンテナ３によって発生する相互インダクタンスを更に削減することを可能にする。
【０１７５】
図５Ａ及び図５Ｂに示す実施例は、図１Ａ及び図１Ｂに示す実施例の変形である。図５Ａ及び図５Ｂでは、アンテナ３は、アンテナの第１の点Ｐ１を形成する、外部終端Ｅから内部終端Ｄまでの３つの連続巻回Ｓ１、Ｓ２、Ｓ３によって形成される。
【０１７６】
第１のアクセス端子１は、その終端Ｄ、Ｅ間のアンテナ３の第１の中間タップＡに接続手段ＣＯＮ１Ａによって接続される。接続手段ＣＯＮ１Ａは例えば、キャパシタンスＣ１０である。
【０１７７】
第２のアクセス端子は、アンテナ３の第２の点Ｐ２を形成する第２の中間タップＰ２に接続手段ＣＯＮ３２によって接続される。接続手段ＣＯＮ３２は例えば、キャパシタンスＣ２０である。
【０１７８】
所定の同調周波数（すなわち、例えば、１３．５６ＭＨｚの共振周波数）における同調キャパシタンスＣが、アンテナ３のインダクタンスＬと組み合わせて設けられる。
【０１７９】
アンテナ３の第２の終端Ｅは、キャパシタンスＣの第２の端子Ｃ１Ｅに導体ＣＯＮ２Ｅによって接続される。
【０１８０】
キャパシタンスＣの第１の端子Ｃ１Ｘは、アンテナ３の端子Ｄ，Ｐ１に導体ＣＯＮ３１によって接続される。
【０１８１】
２つのアクセス端子１、２は電荷を接続する役目を担う。
【０１８２】
本発明によれば、第１の点Ｐ１と第２の点Ｐ２との間に少なくとも１つの巻回Ｓ（すなわち、図示した実施例では、巻回Ｓ３及び巻回Ｓ２）が存在している。
【０１８３】
中間タップＡは、巻回Ｓ３と巻回Ｓ２との間に配置される。中間タップＰ２は、巻回Ｓ１と巻回Ｓ２との間に配置される。中間タップＡは、アンテナＬの少なくとも１つの巻回Ｓ（すなわち、図示した実施例では、巻回Ｓ３）により、終端Ｄに接続される。中間タップＡは、アンテナＬの少なくとも１つの巻回Ｓ（すなわち、図示した実施例では、２つの巻回Ｓ１及びＳ２）により、アンテナＬの第２の終端Ｅに接続される。
【０１８４】
中間タップＰ２は、アンテナＬの少なくとも１つの巻回Ｓ（すなわち、図示した実施例では、巻回Ｓ２及び巻回Ｓ３）により、終端Ｄに接続される。中間タップＰ２は、アンテナＬの少なくとも１つの巻回Ｓ（すなわち、図示した実施例では、巻回Ｓ１）により、アンテナＬの第２の終端Ｅに接続される。
【０１８５】
図５Ｂに示す等価図では、図５Ａの回路は、点Ａと点Ｐ２との間の第２の巻回Ｓ２によって形成される、能動インダクタンスとして呼ばれる第１のインダクタンスＬ１を有する。中間タップＰ２と端子Ｅとの間には、第１の巻回Ｓ１によって形成される、受動インダクタンスと呼ばれる第２のインダクタンスＬ２が存在している。中間タップＡと端子Ｄとの間には、第３の巻回Ｓ３によって形成される受動インダクタンスと呼ばれる第３のインダクタンスＬ３が存在している。
【０１８６】
第１のインダクタンスＬ１、第２のインダクタンスＬ２、及び第３のインダクタンスＬ３の和は、アンテナ３の合計インダクタンスに等しい。
【０１８７】
図５Ａ及び図５Ｂに示す実施例は、アンテナ３の効率を増加させることを可能にする。
【０１８８】
図６Ａ及び図６Ｂに示す実施例は、図５Ａ及び図５Ｂに示す実施例の変形である。図６Ａ及び図６Ｂでは、第４の更なる同調キャパシタンスＣ４は、第１のインダクタンスＬ１と並列に、中間タップＡと第２の点Ｐ２との間に接続される。第４のキャパシタンスＣ４は、第２のインダクタンスＬ２上の、Ｃとの周波数同調に関係する。図６Ａ及び図６Ｂに示す実施例は、アンテナ３の効率を増加させることを可能にする。
【０１８９】
図７Ａ及び図７Ｂに示す実施例は、図５Ａ及び図５Ｂに示す実施例の変形である。図７Ａ及び図７Ｂでは、アンテナ３は、外部終端Ｅから内部終端Ｄまでの４つの連続回転Ｓ１、Ｓ２１、Ｓ２２、及びＳ３によって形成される。
【０１９０】
本発明によれば、第１の点Ｐ１と第２の点Ｐ２との間に少なくとも１つの巻回Ｓ（すなわち、図示した実施例では、巻回Ｓ２１、巻回Ｓ２２及び巻回Ｓ３、すなわち３つの第２の巻回）が存在している。第１の点Ｐ１は、アンテナの終端Ｄによって形成される。
【０１９１】
中間タップＡは、巻回Ｓ３と巻回Ｓ２２との間に配置される。中間タップＰ２は、巻回Ｓ１と巻回Ｓ２１との間に配置される。中間タップＡは、アンテナＬの少なくとも１つの巻回Ｓ（すなわち、図示した実施例では、巻回Ｓ３）により、終端Ｄに接続される。中間タップＡは、アンテナＬの少なくとも１つの巻回Ｓ（すなわち、図示した実施例では、３つの巻回Ｓ１、Ｓ２１、及びＳ２２）により、アンテナＬの第２の終端Ｅに接続される。中間タップＰ２は、アンテナＬの少なくとも１つの巻回Ｓ（すなわち、図示した実施例では、３つの巻回Ｓ２１、Ｓ２２、及びＳ３）により、終端Ｄに接続される。中間タップＰ２は、アンテナＬの少なくとも１つの巻回Ｓ（すなわち、図示した実施例では、巻回Ｓ１）により、アンテナＬの第２の終端Ｅに接続される。
【０１９２】
図７Ｂに示す等価図では、図５Ａの回路は、点Ｐ１と点Ｐ２との間の３つの第２の巻回Ｓ２１，Ｓ２２、及びＳ３によって形成される、能動インダクタンスと呼ばれる第１のインダクタンスＬ１を有する。中間タップＰ２と端子Ｅとの間には、第１の巻回Ｓ１によって形成される受動インダクタンスと呼ばれる第２のインダクタンスＬ２が存在している。中間タップＡと端子Ｄとの間には、第３の巻回Ｓ３によって形成される受動インダクタンスと呼ばれる第３のインダクタンスＬ３が存在している。
【０１９３】
第１のインダクタンスＬ１、第２のインダクタンスＬ２、及び第３のインダクタンスＬ３の和は、アンテナ３の合計インダクタンスＬに等しい。
【０１９４】
図７Ａ及び図７Ｂに示す実施例は、より大きな数の巻回数でアンテナ３の効率を増加させることができる。
【０１９５】
図８Ａ及び図８Ｂに示す実施例は、図５Ａ及び図５Ｂに示す実施例の変形である。図８Ａ及び図８Ｂでは、外部終端Ｅから内部終端Ｄまでの６つの連続巻回Ｓ１、Ｓ２、Ｓ３１、Ｓ３２、Ｓ３３、及びＳ３４によって形成される。第１の点Ｐは、終端Ｄによって形成される。
【０１９６】
本発明によれば、第１の点Ｐ１と第２の点Ｐ２との間に少なくとも１つの巻回Ｓ（すなわち、図示した実施例では、巻回Ｓ２、Ｓ３１、Ｓ３２、Ｓ３３及び巻回Ｓ３４、すなわち５つの第２の巻回）が存在している。
【０１９７】
中間タップＡは、巻回Ｓ２と巻回Ｓ３１との間に配置される。中間タップＰ２は、巻回Ｓ１と巻回Ｓ２との間に配置される。中間タップＡは、アンテナＬの少なくとも１つの巻回Ｓ（すなわち、図示した実施例では、４つの巻回Ｓ３１、Ｓ３２、Ｓ３３、及びＳ３４）により、終端Ｄに接続される。中間タップＡは、アンテナＬの少なくとも１つの巻回Ｓ（すなわち、図示した実施例では、２つの巻回Ｓ１及びＳ２）により、アンテナＬの第２の終端Ｅに接続される。中間タップＰ２は、アンテナＬの少なくとも１つの巻回Ｓ（すなわち、図示した実施例では、５つの巻回Ｓ２、Ｓ３１、Ｓ３２、Ｓ３３、及びＳ３４）により、終端Ｄに接続される。中間タップＰ２は、アンテナＬの少なくとも１つの巻回Ｓ（すなわち、図示した実施例では、巻回Ｓ１）により、アンテナＬの第２の終端Ｅに接続される。
【０１９８】
等価図（図８Ｂ）では、図８Ａの回路は、点Ｐ１と点Ｐ２との間の第２の巻回Ｓ２、Ｓ３１，Ｓ３２、Ｓ３３、及びＳ３４によって形成される、能動インダクタンスと呼ばれる第１のインダクタンスＬ１を有する。中間タップＰ２と端子Ｅとの間には、第１の巻回Ｓ１によって形成される、受動インダクタンスと呼ばれる第２のインダクタンスＬ２が存在している。中間タップＡと端子Ｄとの間には、４つの巻回（Ｓ３１、Ｓ３２、Ｓ３３、及びＳ３４）によって形成される、受動インダクタンスと呼ばれる第３のインダクタンスＬ３が存在している。
【０１９９】
第１のインダクタンスＬ１、第２のインダクタンスＬ２、及び第３のインダクタンスＬ３の和は、アンテナ３の合計インダクタンスＬに等しい。
【０２００】
図８Ａ及び図８Ｂに示す実施例は、更に多くの巻回により、アンテナ３の効率を増加させることを可能にする。
【０２０１】
キャパシタンスＣは、図１Ａに示すものなどのプレーナ・タイプのキャパシタの例によって形成される。
【０２０２】
トランスポンダの適用例では、キャパシタンスＣ、Ｃ１、Ｃ２は例えば、上述のプレーナ・タイプのものである。リーダの適用例では、キャパシタンスＣは、プレーナ・タイプのものである代わりに、追加されたキャパシタ構成部分の形態であり得る。
【０２０３】
図９Ａ及び図９Ｂに示す実施例は、図５Ａ及び図５Ｂに示す実施例の変形である。図９Ａ及び図９Ｂでは、アンテナ３は、連続する第１の巻回Ｓ１、第２の巻回Ｓ２、及び第３の巻回Ｓ３により、第２の終端Ｅから第１の端子Ｄに形成される。巻回Ｓ１は、第２の終端Ｅから反転点ＰＲに第１の巻線方向に延在し、これは、図９Ａでは時計回り方向である。巻回Ｓ２及びＳ３は反転点ＰＲから第１の終端Ｄに、第１の巻線方向の逆の第２の巻線方向に（よって、図９Ａ中の反時計回りに）延在する。例えば、外部巻回Ｓ１は、内部巻回Ｓ２及びＳ３と比較して反対方向である。
【０２０４】
第１の点Ｐ１は、端子Ｄによって形成される。
【０２０５】
アクセス端子２に接続されたアンテナの第２の中間タップＡを形成する第２の点Ｐ２は、反転点ＰＲに配置される。
【０２０６】
本発明によれば、第１の点Ｐ１と第２の点Ｐ２との間に少なくとも１つの巻回Ｓ（すなわち、図示した実施例では、巻回Ｓ２及び巻回Ｓ３）が存在している。
【０２０７】
図９Ｂに示す等価図では、図９Ａの回路は、点Ａと点Ｐ２との間の第２の巻回Ｓ２によって形成される能動インダクタンスと呼ばれる第１の正のインダクタンスＬ１を有する。
【０２０８】
アンテナ３内の電流の正の方向が、点ＰＲ、Ｐ２から点Ａに延びる方向（この例では、アンテナ３上に描いた矢印で示すように同じ方向に延在している最大数の巻回と一致している）であることを考慮に入れると、反転点ＰＲにより、第１の巻回Ｓ１によって形成され、中間タップＰ２、ＰＲ、及び端子Ｅ間に位置する、受動インダクタンスと呼ばれる第２の負のインダクタンス−Ｌ２が存在しているようにみえる。巻回Ｓ２上及び巻回Ｓ３上に描いた矢印は、電流のこの正の方向に対応する。
【０２０９】
中間タップＡと端子Ｄとの間には、第３の巻回Ｓ３によって形成される、受動インダクタンスと呼ばれる第３の正のインダクタンス＋Ｌ３が存在している。
【０２１０】
絶対値での第２のインダクタンスＬ２及び第１のインダクタンスＬ１、並びに第３のインダクタンスＬ３の和は、アンテナ３の合計インダクタンスＬに等しい。
【０２１１】
負のインダクタンス−Ｌ２は、アンテナ３によって発生する相互インダクタンスを更に削減することを可能にする。
【０２１２】
図１１Ａ及び図１１Ｂに示す実施例は、図５Ａ及び図５Ｂに示す実施例の変形である。
【０２１３】
接続手段ＣＯＮ１Ａは例えば、導電体である。
【０２１４】
接続手段ＣＯＮ３２は例えば、導電体である。
【０２１５】
キャパシタンスＣは図２Ａに示すタイプのものである。
【０２１６】
アンテナ３の第２の終端Ｅは、キャパシタンスＣの第２の端子Ｃ１Ｅに導体ＣＯＮ２Ｅによって接続される。
【０２１７】
第１の端子Ｄは、導体ＣＯＮ３３により、キャパシタンスＣの端子Ｃ１Ｆに接続される。
【０２１８】
点Ｐ１は、端子Ｄによって形成される。
【０２１９】
キャパシタンスＣの第１の端子Ｃ１Ｘは、端子Ｄに導体ＣＯＮ３１によって接続される。
【０２２０】
端子Ｃ１Ｆはアクセス端子２に接続される。
【０２２１】
本発明によれば、第１の点Ｐ１と第２の点Ｐ２との間に少なくとも１つの巻回Ｓ（すなわち、図示した実施例では、巻回Ｓ３及び巻回Ｓ２）が存在している。
【０２２２】
図１１Ｂに示す等価図では、キャパシタンスＣ１は、点Ｐ２と端子Ｅとの間のインダクタンスＬ２と並列に位置している。キャパシタンスＣ２は端子Ｄと端子Ｅとの間に接続される。結合キャパシタンスＣ１２は第２の点Ｐ２と端子Ｄとの間に接続される。
【０２２３】
図１１Ａ及び図１１Ｂに示す実施例は、キャパシタンスＣ１及びＣ２の結合により、アンテナ３の効率を更に増加させることを可能にする。
【０２２４】
明らかに、上記実施例のうちの１つ又は複数は、巻回の数、反転点、キャパシタンス、インダクタンスの配置に関して合成することが可能である。
【０２２５】
特に、アンテナに対するアクセス端子１、２のＣＯＮ１Ａ、ＣＯＮ３２などの接続手段は、キャパシタンス、導体、又は他のもの（例えば、特にトランジスタ又は増幅器タイプの能動素子など）を経由し得る。
【０２２６】
一般に、何れかの更なる電荷あるいは周波数あるいは電力同調回路は、いわゆるトランスポンダ・アプリケーションの場合もいわゆるリーダ・アプリケーションの場合も、特にシリコンベースのチップなどのアクセス端子１、２に接続することが可能である。
【０２２７】
特に、図５Ａ、６Ａ、７Ａ、８Ａ、及び９Ａにおけるアンテナへのアクセス端子１、２の接続手段も導体であり得る。例えば、キャパシタンスなどの能動エレメント又は受動エレメントを図１Ａ、図２Ａ、図３Ａ、及び図４におけるアクセス端子１、２に加えることが可能である。
【０２２８】
第１の点Ｐ１と第２の点Ｐ２との間の巻回数が１、２、又は３以上であるようにし得る。第１のタップＡと終端Ｄとの間に設けられる巻回の数は１、２、又は３以上であり得る。第１のタップＡと終端Ｅとの間に設けられる巻回の数は１、２、又は３以上であり得る。第１の点Ｐ１と端部Ｄとの間の巻回の数は１、２、又は３以上であり得る。第１の点Ｐ１と端部Ｅとの間の巻回の数は１、２、又は３以上であり得る。第２の点Ｐ２と端部Ｄとの間の巻回の数は１、２、又は３以上であり得る。第２の点Ｐ２と端部Ｅとの間に設けられる巻回の数は１、２、又は３以上であり得る。
【０２２９】
アンテナは、銅、アルムニウム、銀粒子又はアルムニウム粒子、他の導電体、及び、何れかの他の非導電体（しかし、この目的で化学的に提供される）で、配線、エッチング、印刷（プリント回路ボード）手法を使用して作製し得る。
【０２３０】
アンテナの巻回は、スーパインポーズされていてもされていなくても、全部又は一部がマルチレイヤであり得る。
【０２３１】
図１０に示すように、アンテナの少なくとも１つの巻回Ｓ２は、アンテナ３の一般放射、相互インダクタンス、及び結合を増強することなく、巻回Ｓ２の抵抗又はインダクタンスを増加させるために、アンテナ３の他の巻回により、又は巻回Ｓ２の残りの部分Ｓ２”によって取り囲まれた表面に対して取り囲まれた小表面の巻回の巻線Ｓ２’を直列に有し得る。
【０２３２】
キャパシタンスは、プレーナ手法を使用して製造されるか、又は個別構成要素（構成部分）であり得る。
【０２３３】
キャパシタンスは、特に、配線手法を使用して、アンテナ及びプリント回路基板に対する外部エレメントとしてコイル巻線の製造中にアンテナに追加し得る。
【０２３４】
キャパシタンスは、モジュール、特に、シリコン・モジュールに一体化され得る。
【０２３５】
キャパシタンスは、プリント回路基板に一体化し、プリント回路基板上に製造することが可能である。
【０２３６】
アンテナ３の巻回Ｓは、別個のいくつかの（例えば、並列な）物理平面にわたって分散し得る。
【０２３７】
巻回は、（例えば、直線形の）区間で形成され、又は、何れかの他の形状のものであってもよい。
【０２３８】
アンテナの巻回は、配線の形式であり得、これは次いで、絶縁体基板内、又は絶縁体基板上に組み入れるよう加熱される。
【０２３９】
アンテナの巻回は、絶縁体基板上にエッチングし得る。
【０２４０】
アンテナの巻回は、絶縁体基板の対向面上に配置し得る。
【０２４１】
巻回は、例えば、並列ストリップの形態であり得る。
【０２４２】
以下の図には、例えばチップなどの電荷モジュールＭを示し、モジュールＭは、第１のアクセス端子１と第２のアクセス端子２との間に接続される。
【０２４３】
図１２に示す実施例では、アンテナＬは、第１の終端Ｄと第２の終端Ｅとの間に配置された巻回Ｓ１、Ｓ２によって形成される。
【０２４４】
第１の端子Ｄは、第２の点Ｐ２を形成する第２のアクセス端子２に接続される。
【０２４５】
所定の同調周波数を有する同調キャパシタンスＣ１は、第１のキャパシタンス端子Ｃ１Ｘ及び第２のキャパシタンス端子Ｃ１Ｅを備える。
【０２４６】
第１のキャパシタンス端子Ｃ１Ｘは、手段ＣＯＮ３１により、第１のアクセス端子１に接続される。
【０２４７】
第２のキャパシタンス端子Ｃ１Ｅは第２の終端Ｅに接続される。
【０２４８】
第２の点Ｐ２は第２のアクセス端子２によって形成される。
【０２４９】
アンテナの第１の点Ｐ１及びアンテナの中間タップＡは第１のアクセス端子１によって形成される。
【０２５０】
アンテナＬの第２の点Ｐ２，２は、アンテナＬの少なくとも１つの第１の巻回Ｓ１により、アンテナＬの第１の点Ｐ１，１，Ａに接続される。
【０２５１】
アンテナＬは、ＥとＡとの間の１つ又は複数の第２の巻回Ｓ１により、（すなわち、例えば、点Ａから端子Ｄに延在する１つ又は複数の巻回Ｓ２（例えば、３つの巻回Ｓ２）に点Ａによって接続された２つの第２の巻回Ｓ１により、）形成される。
【０２５２】
第１の点Ｐ１と第２の点Ｐ２との間のアンテナＬの少なくとも１つの巻回（すなわち、Ｐ１とＰ２との間の少なくとも１つの巻回Ｓ２）が存在している。
【０２５３】
同調キャパシタンスＣ１は、２つの第１の端部ＳＣ３１及び第２の端部ＳＣ３２を備える１つ又は複数の第３の巻回ＳＣ３（例えば、５つの巻回ＳＣ３）により、かつ、２つの第１の端部ＳＣ４１及び第２の端部ＳＣ４２を備える１つ又は複数の第４の巻回ＳＣ４（例えば、５つの巻回ＳＣ４）によって形成される。
【０２５４】
少なくとも１つの第３の巻回ＳＣ３は、アンテナＬを形成する巻回Ｓ１、Ｓ２と別個であり、アンテナＬの終端のうちの１つの終端Ｅに接続される。少なくとも１つの第４の巻回ＳＣ４は、アンテナＬを形成する巻回Ｓ１、Ｓ２と別個であり、例えば、並列の区間を有する巻回ＳＣ４に対向して巻回ＳＣ３が配置されるように第３の巻回ＳＣ３沿いに通ることにより、第３の巻回ＳＣ３と電気的に分離される。端部ＳＣ３１は端子Ｃ１Ｅを形成し、端部Ｅに接続される。端部ＳＣ３２は、ＳＣ４と離れており、絶縁されている。端部ＳＣ４１は、ＳＣ３と離れており、絶縁されている。端部ＳＣ４２は、端子Ｃ１Ｘを形成し、中間タップＡ１，Ｐ１に接続される。端部ＳＣ３１は、端部ＳＣ４１の近くに配置され、端部ＳＣ４１から絶縁されている一方で、端部ＳＣ４２と離れて配置されている。端部ＳＣ４２は、端部ＳＣ３２の近くに配置され、端部ＳＣ３２から絶縁されている一方で、端部ＳＣ３１と離れて配置されている。
【０２５５】
第４の巻回ＳＣ４に電気接続されていない、第４の巻回ＳＣ４に対向して配置された第３の巻回ＳＣ３の区間は、キャパシタンスＣ１を規定する。第３の巻回ＳＣ３及び第４の巻回ＳＣ４自体が、巻回の巻線によるインダクタンスをもたらすことにより、回路の残りにキャパシタンスＣ１を接続する役目を担う端部ＳＣ３１、ＳＣ４２間のインピーダンスＺＺもインダクタンスをもたらす。接続している端部ＳＣ３１及びＳＣ３２間のインピーダンスＺＺは、例えば、分岐の一方におけるキャパシタンスＣ１、及び他方の分岐におけるインダクタンスと直列のキャパシタンスを備える並列の２つの分岐を備える、図３３による並列及び／又は直列の共振キャパシタンス・インダクタンス回路を備えているとみることが可能である。その結果、接続している端部ＳＣ３１、ＳＣ４２間でみられるインピーダンスＺＺはキャパシタンスＣ１を備える。
【０２５６】
インピーダンスＺＺのキャパシタンス値Ｃ１は、巻回ＳＣ３と巻回ＳＣ４との間の関係に依存し、特に、それらの相互の配置（例えば、隣接して配置されていること）に依存する。
【０２５７】
図１２では、少なくとも１つの第３の巻回ＳＣ３及び少なくとも１つの第４の巻回ＳＣ４によって形成されるインピーダンスＺＺと、モジュールのアクセス端子１に接続された中間タップＡとの間に少なくとも１つの巻回Ｓ１が存在している。
【０２５８】
少なくとも１つの第３の巻回ＳＣ３により、かつ、少なくとも１つの第４の巻回ＳＣ４によって形成されるインピーダンスＺＺは、直列及び／又は並列のキャパシタンス及びインダクタンスがインピーダンスＺＺに含まれることにより、自己共振状態にある。
【０２５９】
図１２に示す回路の等価図は図３４に表す。少なくとも１つの第３の巻回ＳＣ３及び少なくとも１つの第４の巻回ＳＣ４は、少なくとも１つの第３の巻回ＳＣ３及び少なくとも１つの第４の巻回ＳＣ４によって形成された回路の同調周波数が例えば、所定の同調周波数１３．５６ＭＨｚを有するように、インダクタンス（巻回Ｓ２）と並列に配置されたモジュールＭ（例えば、チップ）の同調周波数を等化することを可能にする。
【０２６０】
このようにして、巻回Ｓ２と並列に配置されているモジュールＭによって形成される回路、自己共振回路ＺＺ、ＳＣ３、ＳＣ４間の広範な結合を、前述の２つの回路間の相互インダクタンスを削減することによって得ることが可能である。自己共振回路ＺＺを形成する巻回ＳＣ３、ＳＣ４とモジュールＭとの間に配置された巻回Ｓ１によって形成されるインダクタンスは、巻回Ｓ２と並列に配置されているモジュールＭによって形成された回路、自己共振回路ＺＺ、ＳＣ３、ＳＣ４間のこの相互インダクタンスを処理することが可能である。
【０２６１】
したがって、巻回の固有インダクタンス及び電流の値の賢明な取り合わせにより、上述の２つのアンテナ回路（Ｍ，Ｓ２）及び（ＺＺ，Ｓ１）間の相互インダクタンス値をパラメータ化し、互いに半独立的である２つの同調周波数、又は互いに非常に近い２つの同調周波数（同調周波数の差が例えば、＜１０ＭＨｚ、＜２ＭＨｚ、若しくは＜５００ＫＨｚであるか、又は、２つの周波数同調が１つの同じ周波数範囲内にマージされる）を得ることが可能になり、それにより、アンテナ回路の積分表面が非常に小さい（＜１６ｃｍ２であるか、又は＜８ｃｍ２である）場合であっても、広範な結合効率を維持し、よって、エネルギ伝達を維持する一方で、ＲＦＩＤ伝送チャネルに対して広い帯域を得ることを可能にする。
【０２６２】
特に、例えば、１３．５６ＭＨｚという有用な周波数にできる限り近い周波数同調を得るために、モジュールＭと並列に配置されている巻回Ｓ２における最大可能インダクタンスを有することが求められる。
【０２６３】
特に、例えばタグ、又はステッカーなどの＜１６ｃｍ２の小さな表面上でのアンテナ回路の集積を可能にするために自己共振回路ＺＺ、ＳＣ３、ＳＣ４に含まれる最小可能インダクタンスを有することが求められる。
【０２６４】
更に、本発明の効果の１つが、アンテナ回路間の（例えば、第１に、トランスポンダ又はリーダ・チップを備えるアンテナ回路と、第２に、第１及び第２のアンテナ部分との間の）相互インダクタンスをパラメータ化して、トランスポンダ又はリーダ・システムの最終的な相互インダクタンスをパラメータ化することの可能性であるということが分かり得る。更に、上記先行技術文献と対照的に、１つの同じ周波数範囲にわたってマージされた２つの周波数同調、若しくは、互いに非常に近い（例えば、＜１０ＭＨｚ、＜２ＭＨｚ、又は＜５００ＫＨｚである）２つの周波数同調、又は、互いに半独立的な２つの周波数同調をもたらすことが可能になる。
【０２６５】
本発明の実施例に応じて、チップを備える第１のアンテナ回路と、少なくとも１つの静電容量性エレメントを備える第２の少なくとも１つの（又は２つ以上の）アンテナ回路との間に少なくとも１つの電気接続が存在している。
【０２６６】
特に、文献欧州特許出願公開第１０３１９３９（Ａ）号明細書及び仏国特許出願公開第２７７７１４１（Ａ）号明細書に記載の装置では、２つの半独立的周波数同調がもたらされることも、２つの周波数同調が互いに非常に近い（例えば、＜１０ＭＨｚ、＜２ＭＨｚ、又は＜５００ＫＨｚである）ことも、２つの周波数同調が１つの同じ周波数範囲にわたってマージされることも可能にしない。２つのアンテナ回路間の相互インダクタンスが大きいほど、２つのアンテナ回路の２つのいわゆる「固有」同調の増加は大きい。前述の２つの周波数同調を近くすることが求められた場合、例えば、アンテナ回路の表面のうちの一方を他方に対して強く低減させることにより、相互インダクタンスを削減しなければならない。
【０２６７】
隣接している巻回Ｓ１及びＳ２間の相互インダクタンスによる結合ＣＯＵＰＬ１２を確実にするための手段が設けられる。インピーダンスＺＺの、隣接している巻回Ｓ１、ＳＣ３、及びＳＣ４間の相互インダクタンスによる結合ＣＯＵＰＬＺＺを確実にするための手段が設けられる。相互インダクタンスによるこの結合は例えば、Ｓ２に近いＳ１の配置、及びＳＣ３，ＳＣ４に近いＳ１の配置による。例えば、図１２には、周辺から中心に向かってＳ２、Ｓ１、ＳＣ３、ＳＣ４が順次、存在している。
【０２６８】
アンテナ回路は、互いに結合された少なくとも２つの自然な固有相互インダクタンスを（Ｓ１とＳ２との間、及びＳ１とＺＺとの間に）有する。
【０２６９】
これは、図１２の回路のリード距離を増加させることを可能にする。
【０２７０】
本発明の他の実施例は、以下の図を参照しながら以下の表において説明する。この表は、巻回の数と、４つの対応する列（１，Ａ）、（Ｃ１Ｅ，Ｅ）、（Ｃ１Ｘ，Ｐ１）、及び（２，Ｐ２）において併せて電気接続された点を示す。図１２（以下参照）では、中間タップＡの第１のアクセス端子１との接続手段ＣＯＮ１Ａ、第２の終端Ｅと第２のキャパシタンス端子Ｃ１Ｅとの間の接続手段ＣＯＮ２Ｅ、アンテナＬの第１の点Ｐ１と第１のキャパシタンス端子Ｃ１Ｘとの間の接続手段ＣＯＮ３１、及び第２の点Ｐ２と第２のアクセス端子２との間の接続手段ＣＯＮ３２は導電体で実現され、これらは必ずしも以下の表又は図に示すものでない。列Ａ乃至ＥはＡとＥとの間の巻回Ｓ１の数を示す。列Ａ乃至ＤはＡとＤとの間の巻回Ｓ２の数を示す。列Ｐ１乃至Ｐ２は、点Ｐ１と点Ｐ２との間のアンテナＬの少なくとも１つの巻回Ｓに等しい数Ｎ１２を示す。右の最後の列は、巻回ＳＣ３及びＳＣ４によって形成されるインピーダンスＺＺの存在を示し、この場合、括弧内のＺＺの巻回の数を表し、又は、その端子間に誘電体を有する静電容量性構成部分によって形成される第１のキャパシタンスと呼ばれる更なるキャパシタンスＣ３０の存在を示す。
【０２７１】
誘電体静電容量性構成部分とは、キャパシタンスの構成を可能にする何れかの実施例を意味している。この静電容量性構成部分は任意的には、別の回路ＺＺによって形成し得る。
【０２７２】
図１６及び図１８には２つのキャパシタンスＣ３０及びＺＺが設けられる。キャパシタンスＺＺは、ＳＣ４２とＳＣ３１との間の巻回ＳＣ３、ＳＣ４（例えば、４つの巻回）によって形成され、ＳＣ３１はＣ１ＸＺを形成する。Ｚに加えて、静電容量性構成部分によって形成される別のキャパシタンスＣ３０がＥとＣ１ＸＣ１との間で設けられる。端子Ｃ１ＸＣ１は、少なくとも一巻回（例えば、この図では一巻回）だけ、Ｐ２と離れて配置された、アンテナＬの点ＰＣ１に接続される。図１６及び図１８では、ＺＺはＣ１ＸＺとＣ１Ｅとの間に配置され、Ｃ３０はＥとＣ１ＸＣ１との間の静電容量性構成部分である。
【０２７３】
図２２では、２つのキャパシタンスＣ３０及びＺＺは、端部ＳＣ４２によって形成される端子Ｃ１Ｘ，Ｐ１と端子Ｃ１Ｅ，Ｅとの間に直列に設けられる。キャパシタンスＺＺは、ＳＣ４２とＳＣ３１との間の巻回ＳＣ３、ＳＣ４（例えば、４つの巻回）によって形成され、ＳＣ３１はＰＣ１を形成する。Ｚに加えて、静電容量性構成部分によって形成される別のキャパシタンスＣ３０がＥとＰＣ１との間に設けられる。端子ＰＣ１は、アンテナＬの点２，Ｐ２まで接続される。端子Ｃ１Ｅ，Ｅは、端子２から離れた、巻回Ｓ１の端部によって形成される。
【０２７４】
図２０では、２つのキャパシタンスＣ３０及びＺＺは、端部ＳＣ４２によって形成される端子Ｃ１Ｘ，Ｐ１と端子Ｃ１Ｅ，Ｅとの間に直列に設けられる。キャパシタンスＺＺは、ＳＣ４２とＳＣ３１との間の巻回ＳＣ３、ＳＣ４（例えば、４つの巻回）によって形成され、ＳＣ３１は、１つ又は複数の巻回Ｓ１０（例えば、２つの巻回Ｓ１０）により、点ＰＣ１と直列に接続される。Ｚに加えて、静電容量性構成部分によって形成される別のキャパシタンスＣ３０がＥとＰＣ１との間に設けられる。端子ＰＣ１は、アンテナＬの点２，Ｐ２まで接続される。端子Ｃ１Ｅ，Ｅは、端子２から離れた、巻回Ｓ１の端部によって形成される。
【０２７５】
図２３、２４では、２つの反転点ＰＲ１及びＰＲ２が、ＡとＥとの間の巻回Ｓ１において設けられる。点ＰＲ１は、少なくとも１つの巻回だけ、Ａと離れて配置されており、少なくとも１つの巻回だけ、Ｅと離れて配置される（例えば、ＡとＰＲ１との間の２つの巻回、及びＰＲ１とＥとの間の２つの巻回）。点ＰＲ２は、少なくとも１つの巻回だけ、Ａと離れて位置しており、少なくとも１つの巻回だけ、Ｅと離れて位置している（例えば、ＡとＰＲ２との間の１つの巻回、及びＰＲ２とＥとの間の３つの巻回）。
【０２７６】
図２３では、ＰＲ２は、少なくとも一巻回だけ、Ｐ２と離れて配置される。
【０２７７】
図２５では、２つの反転点ＰＲ１及びＰＲ２が、ＡとＥとの間の巻回Ｓ１において設けられる。点ＰＲ１はＡに配置される。点ＰＲ２は、少なくとも１つの巻回だけ、Ａと離れて位置しており、少なくとも１つの巻回だけ、Ｅと離れて位置している（例えば、ＡとＰＲ２との間の１つの巻回、及びＰＲ２とＥとの間の３つの巻回）。
【０２７８】
図２６では、２つの反転点ＰＲ１及びＰＲ２が、ＡとＥとの間の巻回Ｓ１において設けられる。点ＰＲ１はＡに配置されている。点ＰＲ２は、少なくとも１つの巻回だけ、Ａと離れて位置しており、少なくとも１つの巻回だけ、Ｅと離れて位置している（例えば、ＡとＰＲ２との間の１つの巻回、及びＰＲ２とＥとの間の４つの巻回）。
【０２７９】
図２７では、２つの反転点ＰＲ１及びＰＲ２が、ＡとＤとの間の巻回Ｓ１において設けられる。点ＰＲ１は、少なくとも１つの巻回だけ、Ａと離れて配置されており、少なくとも１つの巻回だけ、Ｄと離れて配置される（例えば、ＡとＰＲ１との間の１つの巻回、及びＰＲ１とＤとの間の２つの巻回）。点ＰＲ２は、少なくとも１つの巻回だけ、Ａと離れて位置しており、少なくとも１つの巻回だけ、Ｄと離れて位置している（例えば、ＡとＰＲ２との間の２つの巻回、及びＰＲ２とＤとの間の１つの巻回）。
【０２８０】
図２９及び図３０では、基準電位において電位を設定するための中間点ＰＭが、アンテナの２つの終端Ｄ及びＥ間の中間のアンテナ上に設けられる。ＤとＥとの間のアンテナの巻回の数が偶数である図２９では、中間点ＰＭは、アンテナの少なくとも一巻回だけ、１，  Ａ，２，Ｐ２，Ｃ１Ｅ，Ｅ，Ｃ１Ｘ，Ｐ１，Ｄという他の点と離れて配置される。ＤとＥとの間のアンテナの巻回の数が偶数でない図３０では、中間点ＰＭは、少なくとも１つの半巻回により、その他の点１，Ａ，２，Ｐ２，Ｃ１Ｅ，Ｅ，Ｃ１Ｘ，Ｐ１，Ｄと離れて配置され、例えば、前述の点１，Ａ，２，Ｐ２，Ｃ１Ｅ，Ｅ，Ｃ１Ｘ，Ｐ１，Ｄを有する一方側部に対する他方側部に配置される。
【０２８１】
明らかに、上述では、アンテナ上の上記点（１，Ａ，２，Ｐ２，Ｃ１Ｅ，Ｅ，Ｃ１Ｘ，Ｐ１，Ｄ及び反転点）間の巻数の数は、いくつでもよい（例えば、１でも２でもよい）。この巻回数は、例えば、図に示すような整数、又は、図３１及び３２などの非整数であり得る。
【０２８２】
図１２、図１３、図１４、図１９、図２１、図２５、図２６では、反転点ＰＲ３が、点１，Ａに（すなわち、ＤからＥに進む場合の、点１，Ａにおけるアンテナの巻回の巻線の反対方向に）設けられる。図１５、図１６、図１７、図１８、図２２、図２３、図２４、図２７、図２８、図２９、図３０、図３１、及び図３２では、アンテナ巻回の同じ巻線の方向を維持して、ＤからＥの方向に点１，Ａが進められる。しかし、巻回の巻線の方向における１つ又は複数の変更は、図２３，２４、２６、２７の１，Ａ以外の点ＰＲ２、ＰＲ１で行われる。
【０２８３】
第１のアクセス端子は第２のアクセス端子と別個である。第１のアクセス端子は、１つ又はいくつかの巻回だけ、第２のアクセス端子と離れている。
【０２８４】
例えば、１つの単一の第１のアクセス端子１及び１つの単一の第２のアクセス端子２が設けられる。
【０２８５】
実施例では、電荷ＺとしてのトランスポンダＴＲＡＮＳは、例えば、図３５のように、第１のアクセス端子１及び第２のアクセス端子２に接続される。
【０２８６】
図３５乃至図４６は、存在し得るキャパシタンスＣ１０、Ｃ２０が示されていない上述の実施例の何れか１つに対応する。
【０２８７】
別の実施例では、電荷ＺとしてのリーダＬＥＣＴは、例えば、図３６のように、第１のアクセス端子１及び第２のアクセス端子２に接続される。
【０２８８】
いくつかの電荷を設け得る。
【０２８９】
別の実施例では、別個のいくつかの電荷を同じ第１のアクセス端子１及び同じ第２のアクセス端子２に接続し得る。
【０２９０】
例えば、第１の電荷Ｚ１としてのトランスポンダＴＲＡＮＳ及び第２の電荷Ｚ２としてのリーダＬＥＣＴは、例えば、図３７及び図３８に示すように、同じ第１のアクセス端子１及び同じ第２のアクセス端子２に接続し得、トランスポンダＴＲＡＮＳ及びリーダＬＥＣＴは図３８中、電気的に並列である。
【０２９１】
別の実施例では、アンテナは、いくつかの別個の電荷の接続のために、互いに別個のいくつかの第２のアクセス端子２、及び／又は、互いに別個のいくつかの第１のアクセス端子１を含み得る。互いに別個の第１のアクセス端子１は、アンテナの少なくとも一巻回により、互いに離れている。互いに別個の第２のアクセス端子２は、アンテナの少なくとも一巻回により、互いに離れている。
【０２９２】
例えば、図３９上では、第１の電荷Ｚ１としてのトランスポンダＴＲＡＮＳは、第１のアクセス端子１と第２のアクセス端子２との間に接続され、第２の電荷Ｚ２としてのリーダＬＥＣＴは、別の第１のアクセス端子１と別の第２のアクセス端子２との間に接続される。
【０２９３】
例えば、図４０上では、第１の電荷Ｚ１としてのトランスポンダＴＲＡＮＳは、第１のアクセス端子１と第２のアクセス端子２との間に接続され、第２の電荷Ｚ２としてのリーダＬＥＣＴは、別の第２のアクセス端子１２、第２のアクセス端子２（連続したアクセス端子）間に接続される。
【０２９４】
別の実施例では、いくつかのＲＦＩＤアプリケーション及び／又はＲＦＩＤリーダ及び／又はＲＦＩＤトランスポンダは、第１及び第２の同一のアクセス端子１、２間に、又は別個の第１及び第２のアクセス端子１、２間に（例えば、図４１のアプリケーションＡＰＰＬ１、ＡＰＰＬ３のように、別個の連続した第１及び第２のアクセス端子１，２，１２，１３間に）接続し得る
当然、上記では、第１のアクセス端子１と第２のアクセス端子２の役割を逆にし得る。
【０２９５】
上記では、アクセス端子１、２に接続された電荷Ｚは例えば、図４２に示すように、所定の同調周波数を有する。この同調周波数は固定である。
【０２９６】
この同調周波数は例えば、高周波数帯（ＨＦ）にあり、高周波数帯は、３０ｋＨｚ以上８０ＭＨｚ未満の周波数を包含する。この同調周波数は例えば、１３．５６ＭＨｚである。
【０２９７】
更に、同調周波数は超高周波数帯（ＵＨＦ）にあり得る。ここで、超高周波数帯は、８０ＭＨｚ以上５８００ＭＨｚ以下の周波数を包含する。同調周波数は例えば、この場合、８６８ＭＨｚ又は９１５ＭＨｚである。
【０２９８】
一実施例では、少なくとも１つの第１のアクセス端子１及び少なくとも第２のアクセス端子２は、第１の所定の同調周波数を有する少なくとも第１の電荷Ｚ１及び第１の所定の同調周波数とは別の第２の所定の同調周波数を有する少なくとも第２のＺ２に接続される。  
一実施例では、高周波数帯において第１の所定の同調周波数を有する第１の電荷Ｚ１及び超高周波数帯において第２の所定の同調周波数を有する第２の電荷Ｚ２はアクセス端子１、２に接続される。
【０２９９】
図４３の実施例では、高周波数帯において第１の所定の同調周波数を有する第１の電荷Ｚ１及び超高周波数帯において第２の所定の同調周波数を有する第２の電荷Ｚ２は、同じ第１のアクセス端子１に接続され、同じ第２のアクセス端子２に接続される。
【０３００】
図４４の実施例では、高周波数帯において第１の所定の同調周波数を有する第１の電荷Ｚ１は、第１のアクセス端子１と第２のアクセス端子２との間に接続される一方、超高周波数帯において第２の所定の同調周波数を有する第２の電荷Ｚ２は、別の第１のアクセス端子１１と別の第２のアクセス端子１２との間に接続される。
【０３０１】
図４５及び図４６の実施例では、高周波数帯において第１の所定の同調周波数を有する第１の電荷Ｚ１は第１のアクセス端子１と第２のアクセス端子２との間に接続される一方、超高周波数帯において第２の所定の同調周波数を有する第２の電荷Ｚ２は、別の第２のアクセス端子１２及び第２のアクセス端子２（連続したアクセス端子）間に接続され、図４５の端子間の巻回の数は、図４６の端子間の巻回の数と異なる。
【図１Ａ】
0005592895.tif 000002
【図１Ｂ】
0005592895.tif 000003
【図２Ａ】
0005592895.tif 000004
【図２Ｂ】
0005592895.tif 000005
【図３Ａ】
0005592895.tif 000006
【図３Ｂ】
0005592895.tif 000007
【図４Ａ】
0005592895.tif 000008
【図４Ｂ】
0005592895.tif 000009
【図５Ａ】
0005592895.tif 000010
【図５Ｂ】
0005592895.tif 000011
【図６Ａ】
0005592895.tif 000012
【図６Ｂ】
0005592895.tif 000013
【図７Ａ】
0005592895.tif 000014
【図７Ｂ】
0005592895.tif 000015
【図８Ａ】
0005592895.tif 000016
【図８Ｂ】
0005592895.tif 000017
【図９Ａ】
0005592895.tif 000018
【図９Ｂ】
0005592895.tif 000019
【図１０】
0005592895.tif 000020
【図１１Ａ】
0005592895.tif 000021
【図１１Ｂ】
0005592895.tif 000022
【図１２】
0005592895.tif 000023
【図１３】
0005592895.tif 000024
【図１４】
0005592895.tif 000025
【図１５】
0005592895.tif 000026
【図１６】
0005592895.tif 000027
【図１７】
0005592895.tif 000028
【図１８】
0005592895.tif 000029
【図１９】
0005592895.tif 000030
【図２０】
0005592895.tif 000031
【図２１】
0005592895.tif 000032
【図２２】
0005592895.tif 000033
【図２３】
0005592895.tif 000034
【図２４】
0005592895.tif 000035
【図２５】
0005592895.tif 000036
【図２６】
0005592895.tif 000037
【図２７】
0005592895.tif 000038
【図２８】
0005592895.tif 000039
【図２９】
0005592895.tif 000040
【図３０】
0005592895.tif 000041
【図３１】
0005592895.tif 000042
【図３２】
0005592895.tif 000043
【図３３】
0005592895.tif 000044
【図３４】
0005592895.tif 000045
【図３５】
0005592895.tif 000046
【図３６】
0005592895.tif 000047
【図３７】
0005592895.tif 000048
【図３８】
0005592895.tif 000049
【図３９】
0005592895.tif 000050
【図４０】
0005592895.tif 000051
【図４１】
0005592895.tif 000052
【図４２】
0005592895.tif 000053
【図４３】
0005592895.tif 000054
【図４４】
0005592895.tif 000055
【図４５】
0005592895.tif 000056
【図４６】
0005592895.tif 000057